(57)【要約】  本発明の実施例は周期的アップリンク情報／信号伝送方法、装置及びシステムを提供する。該方法は、端末がアクセスネットワーク装置から送信された配置シグナリングを受信し、該配置シグナリングに周期的アップリンク情報／信号の配置パラメータが含まれることと、端末が配置パラメータに基づいてターゲット伝送ユニットを確定し、そしてターゲット伝送ユニット内のアップリンクシンボルの数に基づき、ターゲット周期的アップリンク情報／信号を送信又は破棄することとを含む。本発明の実施例では、ターゲット周期的アップリンク情報／信号を伝送するための伝送ユニットが動的に変化するものである場合、端末は現在の伝送ユニット内のアップリンクシンボルの数に基づき、ターゲット周期的アップリンク情報／信号を送信又は破棄するか否かを確定することができ、送信する必要があることを確定した場合、該ターゲット周期的アップリンク情報／信号の伝送方式を選択し、該伝送方式に従って該ターゲット周期的アップリンク情報／信号を送信し、これにより、端末が周期的アップリンク情報／信号をフィードバックする有効な確率が向上する。
2020518156.tif 000002
【特許請求の範囲】
【請求項１】
周期的アップリンク情報／信号伝送方法であって、
アクセスネットワーク装置から送信された配置シグナリングを受信し、前記配置シグナリングに周期的アップリンク情報／信号の配置パラメータが含まれることと、
前記配置パラメータに基づいてターゲット伝送ユニットを確定することと、
前記ターゲット伝送ユニット内のアップリンクシンボルの数に基づき、ターゲット周期的アップリンク情報／信号を送信又は破棄することとを含む、前記周期的アップリンク情報／信号伝送方法。
【請求項２】
前記周期的アップリンク情報／信号は、
周期的チャネル状態情報（ＣＳＩ）、又は、
周期的チャネルサウンディング基準信号（ＳＲＳ）、又は、
半永続的にスケジューリングされたアップリンクデータを含むことを特徴とする
請求項１に記載の方法。
【請求項３】
前記配置パラメータは、送信周期、オフセット、ＣＳＩフィードバックモード、伝送モードと物理リソースインジケータのうちの少なくとも一つを含むことを特徴とする
請求項１に記載の方法。
【請求項４】
前記ターゲット伝送ユニット内のアップリンクシンボルの数に基づき、ターゲット周期的アップリンク情報／信号を送信又は破棄することは、
前記ターゲット伝送ユニットが通常のアップリンクサブフレーム又は通常のアップリンクタイムスロットである場合、前記配置パラメータに基づいて前記ターゲット伝送ユニットで前記ターゲット周期的アップリンク情報／信号を送信すること、又は、
前記ターゲット伝送ユニット内のアップリンクシンボルの数が第一の閾値以上である場合、前記配置パラメータに基づいて前記ターゲット伝送ユニットで前記ターゲット周期的アップリンク情報／信号を送信することを含むことを特徴とする
請求項１に記載の方法。
【請求項５】
前記ターゲット伝送ユニット内のアップリンクシンボルの数に基づき、ターゲット周期的アップリンク情報／信号を送信又は破棄することは、
前記ターゲット伝送ユニットにアップリンクシンボルが含まれない場合、前記ターゲット周期的アップリンク情報／信号を破棄すること、又は、
前記ターゲット伝送ユニット内のアップリンクシンボルの数がゼロより大きく且つ第二の閾値未満である場合、前記ターゲット周期的アップリンク情報／信号を破棄することを含むことを特徴とする
請求項１−４のいずれか一項に記載の方法。
【請求項６】
前記ターゲット伝送ユニット内のアップリンクシンボルの数に基づき、ターゲット周期的アップリンク情報／信号を送信又は破棄することは、
前記ターゲット伝送ユニットにアップリンクシンボルが含まれない場合、前記ターゲット伝送ユニットからの予め設定された期間内又は前記ターゲット伝送ユニットの後の予め設定された期間内の１番目の第一のタイプの伝送ユニットを確定し、前記配置パラメータに基づいて前記１番目の第一のタイプの伝送ユニットのアップリンクシンボルで前記ターゲット周期的アップリンク情報／信号を送信すること、又は、
前記ターゲット伝送ユニット内のアップリンクシンボルの数がゼロより大きく且つ第三の閾値未満である場合、前記ターゲット伝送ユニットからの予め設定された期間内又は前記ターゲット伝送ユニットの後の予め設定された期間内の１番目の第一のタイプの伝送ユニットを確定し、前記配置パラメータに基づいて前記１番目の第一のタイプの伝送ユニットのアップリンクシンボルで前記ターゲット周期的アップリンク情報／信号を送信することを含むことを特徴とする
請求項１−４のいずれか一項に記載の方法。
【請求項７】
前記第一のタイプの伝送ユニットは、通常のアップリンクサブフレーム、通常のアップリンクタイムスロット、アップリンクシンボルの数が第四の閾値より大きい伝送ユニット、アップリンクシンボルの数が第四の閾値に等しい伝送ユニットのうちのいずれか一つを含むことを特徴とする
請求項６に記載の方法。
【請求項８】
前記ターゲット伝送ユニット内のアップリンクシンボルの数に基づき、ターゲット周期的アップリンク情報／信号を送信又は破棄することは、
前記ターゲット伝送ユニット内のアップリンクシンボルの数がゼロより大きく且つ第五の閾値未満である場合、前記配置パラメータに基づいて前記ターゲット伝送ユニットのアップリンクシンボルで前記ターゲット周期的アップリンク情報／信号内の情報サブセットを送信することを特徴とする
請求項１−４のいずれか一項に記載の方法。
【請求項９】
前記周期的アップリンク情報／信号が周期的ＣＳＩを含む場合、前記情報サブセットは、
チャネル状態情報基準信号リソースインジケーター（ＣＲＩ）情報、
ランクインジケーター（ＲＩ）情報、
チャネル品質インジケータ（ＣＱＩ）情報、
プリコーディングマトリックスインジケーター（ＰＭＩ）情報、
第一のＰＭＩ情報のうちの少なくとも一つのサブ情報を含むことを特徴とする
請求項８に記載の方法。
【請求項１０】
前記ターゲット伝送ユニット内のアップリンクシンボルの数に基づき、ターゲット周期的アップリンク情報／信号を送信又は破棄することは、
前記配置パラメータ及び前記ターゲット伝送ユニット内のアップリンクシンボルの数に基づき、前記ターゲット周期的アップリンク情報／信号を送信するための時間周波数リソースを確定することと、
前記配置パラメータに基づいて前記時間周波数リソースでターゲット周期的アップリンク情報／信号を送信することとを含むことを特徴とする
請求項４又は８に記載の方法。
【請求項１１】
前記ターゲット伝送ユニット内のアップリンクシンボルの数に基づき、ターゲット周期的アップリンク情報／信号を送信又は破棄することは、
前記配置情報及び前記１番目の第一のタイプの伝送ユニット内のアップリンクシンボルの数に基づき、前記ターゲット周期的アップリンク情報／信号を送信するための時間周波数リソースを確定することと、
前記配置パラメータに基づいて前記時間周波数リソースでターゲット周期的アップリンク情報／信号を送信することとを含むことを特徴とする
請求項６に記載の方法。
【請求項１２】
周期的アップリンク情報／信号伝送方法であって、
端末へ配置シグナリングを送信し、前記配置シグナリングに周期的アップリンク情報／信号の配置パラメータが含まれることと、
前記配置パラメータに基づいてターゲット伝送ユニットを確定することと、
前記ターゲット伝送ユニット内のアップリンクシンボルの数に基づき、ターゲット周期的アップリンク情報／信号を受信し、又は受信しないこととを含む、前記周期的アップリンク情報／信号伝送方法。
【請求項１３】
前記周期的アップリンク情報／信号は、
周期的チャネル状態情報（ＣＳＩ）、又は、
周期的チャネルサウンディング基準信号（ＳＲＳ）、又は、
半永続的にスケジューリングされたアップリンクデータを含むことを特徴とする
請求項１２に記載の方法。
【請求項１４】
前記配置パラメータは、送信周期、オフセット、ＣＳＩフィードバックモード、伝送モードと物理リソースインジケータのうちの少なくとも一つを含むことを特徴とする
請求項１２に記載の方法。
【請求項１５】
前記ターゲット伝送ユニット内のアップリンクシンボルの数に基づき、ターゲット周期的アップリンク情報／信号を受信し、又は受信しないことは、
前記ターゲット伝送ユニットが通常のアップリンクサブフレーム又は通常のアップリンクタイムスロットである場合、前記端末が前記配置パラメータに基づいて前記ターゲット伝送ユニットで送信した前記ターゲット周期的アップリンク情報／信号を受信すること、又は、
前記ターゲット伝送ユニット内のアップリンクシンボルの数が第一の閾値以上である場合、前記端末が前記配置パラメータに基づいて前記ターゲット伝送ユニットで送信した前記ターゲット周期的アップリンク情報／信号を受信することを含むことを特徴とする
請求項１２に記載の方法。
【請求項１６】
前記ターゲット伝送ユニット内のアップリンクシンボルの数に基づき、ターゲット周期的アップリンク情報／信号を受信し、又は受信しないことは、
前記ターゲット伝送ユニットにアップリンクシンボルが含まれない場合、前記ターゲット周期的アップリンク情報／信号を受信しないこと、又は、
前記ターゲット伝送ユニット内のアップリンクシンボルの数がゼロより大きく且つ第二の閾値未満である場合、前記ターゲット周期的アップリンク情報／信号を受信しないことを含むことを特徴とする
請求項１２−１５のいずれか一項に記載の方法。
【請求項１７】
前記ターゲット伝送ユニット内のアップリンクシンボルの数に基づき、ターゲット周期的アップリンク情報／信号を受信し、又は受信しないことは、
前記ターゲット伝送ユニットにアップリンクシンボルが含まれない場合、前記ターゲット伝送ユニットからの予め設定された期間内又は前記ターゲット伝送ユニットの後の予め設定された期間内の１番目の第一のタイプの伝送ユニットを確定し、前記端末が前記配置パラメータに基づいて前記１番目の第一のタイプの伝送ユニットのアップリンクシンボルで送信した前記ターゲット周期的アップリンク情報／信号を受信すること、又は、
前記ターゲット伝送ユニット内のアップリンクシンボルの数がゼロより大きく且つ第三の閾値未満である場合、前記ターゲット伝送ユニットからの予め設定された期間内又は前記ターゲット伝送ユニットの後の予め設定された期間内の１番目の第一のタイプの伝送ユニットを確定し、前記端末が前記配置パラメータに基づいて前記１番目の第一のタイプの伝送ユニットのアップリンクシンボルで送信した前記ターゲット周期的アップリンク情報／信号を受信することを含むことを特徴とする
請求項１２−１５のいずれか一項に記載の方法。
【請求項１８】
前記第一のタイプの伝送ユニットは、通常のアップリンクサブフレーム、通常のアップリンクタイムスロット、アップリンクシンボルの数が第四の閾値より大きい伝送ユニット、アップリンクシンボルの数が第四の閾値に等しい伝送ユニットのうちのいずれか一つを含むことを特徴とする
請求項１７に記載の方法。
【請求項１９】
前記ターゲット伝送ユニット内のアップリンクシンボルの数に基づき、ターゲット周期的アップリンク情報／信号を受信し、又は受信しないことは、
前記ターゲット伝送ユニット内のアップリンクシンボルの数がゼロより大きく且つ第五の閾値未満である場合、前記端末が前記配置パラメータに基づいて前記ターゲット伝送ユニットのアップリンクシンボルで送信した前記ターゲット周期的アップリンク情報／信号内の情報サブセットを受信することを含むことを特徴とする
請求項１２−１５のいずれか一項に記載の方法。
【請求項２０】
前記周期的アップリンク情報／信号が周期的ＣＳＩを含む場合、前記情報サブセットは、
チャネル状態情報基準信号リソースインジケーター（ＣＲＩ）情報、
ランクインジケーター（ＲＩ）情報、
チャネル品質インジケータ（ＣＱＩ）情報、
プリコーディングマトリックスインジケーター（ＰＭＩ）情報、
第一のＰＭＩ情報のうちの少なくとも一つのサブ情報を含むことを特徴とする
請求項１９に記載の方法。
【請求項２１】
前記ターゲット伝送ユニット内のアップリンクシンボルの数に基づき、ターゲット周期的アップリンク情報／信号を受信し、又は受信しないことは、
前記配置パラメータ及び前記ターゲット伝送ユニット内のアップリンクシンボルの数に基づき、前記ターゲット周期的アップリンク情報／信号を送信するための時間周波数リソースを確定することと、
前記端末が前記配置パラメータに基づいて前記時間周波数リソースで送信したターゲット周期的アップリンク情報／信号を受信することとを含むことを特徴とする
請求項１５又は１９に記載の方法。
【請求項２２】
前記ターゲット伝送ユニット内のアップリンクシンボルの数に基づき、ターゲット周期的アップリンク情報／信号を受信し、又は受信しないことは、
前記配置情報及び前記１番目の第一のタイプの伝送ユニット内のアップリンクシンボルの数に基づき、前記ターゲット周期的アップリンク情報／信号を送信するための時間周波数リソースを確定することと、
前記端末が前記配置パラメータに基づいて前記時間周波数リソースで送信したターゲット周期的アップリンク情報／信号を受信することとを含むことを特徴とする
請求項１７に記載の方法。
【請求項２３】
周期的アップリンク情報／信号伝送装置であって、
アクセスネットワーク装置から送信された配置シグナリングを受信するように構成され、前記配置シグナリングに周期的アップリンク情報／信号の配置パラメータが含まれる受信ユニットと、
前記配置パラメータに基づいてターゲット伝送ユニットを確定するように構成される確定ユニットと、
前記ターゲット伝送ユニット内のアップリンクシンボルの数に基づき、ターゲット周期的アップリンク情報／信号を送信又は破棄するように構成される送信ユニットとを備える、前記周期的アップリンク情報／信号伝送装置。
【請求項２４】
前記送信ユニットはさらに、
前記ターゲット伝送ユニットが通常のアップリンクサブフレーム又は通常のアップリンクタイムスロットである場合、前記配置パラメータに基づいて前記ターゲット伝送ユニットで前記ターゲット周期的アップリンク情報／信号を送信するように構成され、又は、
前記ターゲット伝送ユニット内のアップリンクシンボルの数が第一の閾値以上である場合、前記配置パラメータに基づいて前記ターゲット伝送ユニットで前記ターゲット周期的アップリンク情報／信号を送信するように構成されることを特徴とする
請求項２３に記載の装置。
【請求項２５】
前記送信ユニットはさらに、
前記ターゲット伝送ユニットにアップリンクシンボルが含まれない場合、前記ターゲット周期的アップリンク情報／信号を破棄するように構成され、又は、
前記ターゲット伝送ユニット内のアップリンクシンボルの数がゼロより大きく且つ第二の閾値未満である場合、前記ターゲット周期的アップリンク情報／信号を破棄するように構成されることを特徴とする
請求項２３又は２４に記載の装置。
【請求項２６】
前記送信ユニットはさらに、
前記ターゲット伝送ユニットにアップリンクシンボルが含まれない場合、前記ターゲット伝送ユニットからの予め設定された期間内又は前記ターゲット伝送ユニットの後の予め設定された期間内の１番目の第一のタイプの伝送ユニットを確定し、前記配置パラメータに基づいて前記１番目の第一のタイプの伝送ユニットのアップリンクシンボルで前記ターゲット周期的アップリンク情報／信号を送信するように構成され、又は、
前記ターゲット伝送ユニット内のアップリンクシンボルの数がゼロより大きく且つ第三の閾値未満である場合、前記ターゲット伝送ユニットからの予め設定された期間内又は前記ターゲット伝送ユニットの後の予め設定された期間内の１番目の第一のタイプの伝送ユニットを確定し、前記配置パラメータに基づいて前記１番目の第一のタイプの伝送ユニットのアップリンクシンボルで前記ターゲット周期的アップリンク情報／信号を送信するように構成されることを特徴とする
請求項２３又は２４に記載の装置。
【請求項２７】
前記送信ユニットはさらに、
前記ターゲット伝送ユニット内のアップリンクシンボルの数がゼロより大きく且つ第五の閾値未満である場合、前記配置パラメータに基づいて前記ターゲット伝送ユニットのアップリンクシンボルで前記ターゲット周期的アップリンク情報／信号内の情報サブセットを送信するように構成されることを特徴とする
請求項２３又は２４に記載の装置。
【請求項２８】
前記送信ユニットはさらに、
前記配置パラメータ及び前記ターゲット伝送ユニット内のアップリンクシンボルの数に基づき、前記ターゲット周期的アップリンク情報／信号を送信するための時間周波数リソースを確定し、
前記配置パラメータに基づいて前記時間周波数リソースでターゲット周期的アップリンク情報／信号を送信するように構成されることを特徴とする
請求項２４又は２７に記載の装置。
【請求項２９】
前記送信ユニットはさらに、
前記配置情報及び前記１番目の第一のタイプの伝送ユニット内のアップリンクシンボルの数に基づき、前記ターゲット周期的アップリンク情報／信号を送信するための時間周波数リソースを確定し、
前記配置パラメータに基づいて前記時間周波数リソースでターゲット周期的アップリンク情報／信号を送信するように構成されることを特徴とする
請求項２６に記載の装置。
【請求項３０】
周期的アップリンク情報／信号伝送装置であって、
端末へ配置シグナリングを送信するように構成され、前記配置シグナリングに周期的アップリンク情報／信号の配置パラメータが含まれる送信ユニットと、
前記配置パラメータに基づいてターゲット伝送ユニットを確定するように構成される確定ユニットと、
前記ターゲット伝送ユニット内のアップリンクシンボルの数に基づき、ターゲット周期的アップリンク情報／信号を受信し、又は受信しないように構成される受信ユニットとを備える、前記周期的アップリンク情報／信号伝送装置。
【請求項３１】
前記受信ユニットはさらに、
前記ターゲット伝送ユニットが通常のアップリンクサブフレーム又は通常のアップリンクタイムスロットである場合、前記端末が前記配置パラメータに基づいて前記ターゲット伝送ユニットで送信した前記ターゲット周期的アップリンク情報／信号を受信するように構成され、又は、
前記ターゲット伝送ユニット内のアップリンクシンボルの数が第一の閾値以上である場合、前記端末が前記配置パラメータに基づいて前記ターゲット伝送ユニットで送信した前記ターゲット周期的アップリンク情報／信号を受信するように構成されることを特徴とする
請求項３０に記載の装置。
【請求項３２】
前記受信ユニットはさらに、
前記ターゲット伝送ユニットにアップリンクシンボルが含まれない場合、前記ターゲット周期的アップリンク情報／信号を受信しないように構成され、又は、
前記ターゲット伝送ユニット内のアップリンクシンボルの数がゼロより大きく且つ第二の閾値未満である場合、前記ターゲット周期的アップリンク情報／信号を受信しないように構成されることを特徴とする
請求項３０又は３１に記載の装置。
【請求項３３】
前記受信ユニットはさらに、
前記ターゲット伝送ユニットにアップリンクシンボルが含まれない場合、前記ターゲット伝送ユニットからの予め設定された期間内又は前記ターゲット伝送ユニットの後の予め設定された期間内の１番目の第一のタイプの伝送ユニットを確定し、前記端末が前記配置パラメータに基づいて前記１番目の第一のタイプの伝送ユニットのアップリンクシンボルで送信した前記ターゲット周期的アップリンク情報／信号を受信するように構成され、又は、
前記ターゲット伝送ユニット内のアップリンクシンボルの数がゼロより大きく且つ第三の閾値未満である場合、前記ターゲット伝送ユニットからの予め設定された期間内又は前記ターゲット伝送ユニットの後の予め設定された期間内の１番目の第一のタイプの伝送ユニットを確定し、前記端末が前記配置パラメータに基づいて前記１番目の第一のタイプの伝送ユニットのアップリンクシンボルで送信した前記ターゲット周期的アップリンク情報／信号を受信するように構成されることを特徴とする
請求項３０又は３１に記載の装置。
【請求項３４】
前記受信ユニットはさらに、
前記ターゲット伝送ユニット内のアップリンクシンボルの数がゼロより大きく且つ第五の閾値未満である場合、前記端末が前記配置パラメータに基づいて前記ターゲット伝送ユニットのアップリンクシンボルで送信した前記ターゲット周期的アップリンク情報／信号内の情報サブセットを受信するように構成されることを特徴とする
請求項３０又は３１に記載の装置。
【請求項３５】
前記受信ユニットはさらに、
前記配置パラメータ及び前記ターゲット伝送ユニット内のアップリンクシンボルの数に基づき、前記ターゲット周期的アップリンク情報／信号を送信するための時間周波数リソースを確定し、
前記端末が前記配置パラメータに基づいて前記時間周波数リソースで送信したターゲット周期的アップリンク情報／信号を受信するように構成されることを特徴とする
請求項３１又は３４に記載の装置。
【請求項３６】
前記受信ユニットはさらに、
前記配置情報及び前記１番目の第一のタイプの伝送ユニット内のアップリンクシンボルの数に基づき、前記ターゲット周期的アップリンク情報／信号を送信するための時間周波数リソースを確定し、
前記端末が前記配置パラメータに基づいて前記時間周波数リソースで送信したターゲット周期的アップリンク情報／信号を受信するように構成されることを特徴とする
請求項３３に記載の装置。
【請求項３７】
端末であって、プロセッサ、受信機と送信機を備え、
前記プロセッサがアクセスネットワーク装置から送信された配置シグナリングを前記受信機を介して受信するように構成され、前記配置シグナリングに周期的アップリンク情報／信号の配置パラメータが含まれ、
前記プロセッサがさらに前記配置パラメータに基づいてターゲット伝送ユニットを確定するように構成され、
前記プロセッサがさらに前記ターゲット伝送ユニット内のアップリンクシンボルの数に基づき、ターゲット周期的アップリンク情報／信号を前記送信機を介して送信又は破棄するように構成される、前記端末。
【請求項３８】
アクセスネットワーク装置であって、プロセッサ、送信機と受信機を備え、
前記プロセッサが前記送信機を介して端末へ配置シグナリングを送信するように構成され、前記配置シグナリングに周期的アップリンク情報／信号の配置パラメータが含まれ、
前記プロセッサがさらに前記配置パラメータに基づいてターゲット伝送ユニットを確定するように構成され、
前記プロセッサがさらに前記ターゲット伝送ユニット内のアップリンクシンボルの数に基づき、ターゲット周期的アップリンク情報／信号を前記受信機を介して受信し、又は受信しないように構成される、前記アクセスネットワーク装置。
【請求項３９】
周期的アップリンク情報／信号伝送システムであって、端末とアクセスネットワーク装置を備え、
前記端末が請求項２３〜２９のいずれか一項に記載の装置であり、
前記アクセスネットワーク装置が請求項３０〜３６のいずれか一項に記載の装置である、前記周期的アップリンク情報／信号伝送システム。
【発明の詳細な説明】
【技術分野】
【０００１】
本発明の実施例は通信分野に関し、特に周期的アップリンク情報／信号伝送方法、装置及びシステムに関する。
【背景技術】
【０００２】
アップリンク情報がチャネル状態情報（ＣＳＩ：Ｃｈａｎｎｅｌ  Ｓｔａｔｅ  Ｉｎｆｏｒｍａｔｉｏｎ）及び／又は半永続的にスケジューリング（Ｓｅｍｉ  ｐｅｒｓｉｓｔｅｎｔ  ｓｃｈｅｄｕｌｉｎｇ）されたアップリンクデータを含み、アップリンク信号がサウンディング参照信号（ＳＲＳ：Ｓｏｕｎｄｉｎｇ  Ｒｅｆｅｒｅｎｃｅ  Ｓｉｇｎａｌ）を含む。ここで、ＣＳＩは端末から基地局に伝送されるアップリンクチャンのチャネル状態情報であり、端末のアップリンクチャネルのチャネル状態を示すことに用いられる。レポートの報告方式によって、ＣＳＩが周期的ＣＳＩと非周期的ＣＳＩという２つのタイプを含む。以下、アップリンク情報／信号が周期的ＣＳＩを含むことのみを例として説明する。
【０００３】
長期進化技術（ＬＴＥ：Ｌｏｎｇ  Ｔｅｒｍ  Ｅｖｏｌｕｔｉｏｎ）システムでは、端末が基地局に周期的ＣＳＩを送信するプロセスは、基地局が端末にチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を送信するステップと、それに対応して、端末が受信されたＣＳＩ−ＲＳに基づいてアップリンクチャネルのＣＳＩを測定し、予め設定された周期に従って、アップリンクチャネル内のアップリンクリソースを用いて基地局へ該ＣＳＩを送信するステップとを含む。
【０００４】
第五世代移動通信技術（５Ｇ：Ｔｈｅ  ５ｔｈ  Ｇｅｎｅｒａｔｉｏｎ  Ｍｏｂｉｌｅ  Ｃｏｍｍｕｎｉｃａｔｉｏｎ）システムは柔軟なフレーム構造をサポートし、柔軟なフレーム構造とは、各サブフレームの伝送方向、各サブフレーム内のアップリンクリソース又はダウンリンクリソースが動的に確定されることが可能であるフレーム構造である。柔軟なフレーム構造を有する通信システムでは、各サブフレーム内のアップリンクリソース又はダウンリンクリソースが固定されるものではないため、端末は、アクセスネットワーク装置によって予め配置されたアップリンクリソース又はプロトコルによって定められたアップリンクリソースを用いてＣＳＩを伝送することができなくなる。したがって、ＬＴＥにおける周期的ＣＳＩの伝送方式は柔軟なフレーム構造を有する通信システムに適合しなくなる。
【発明の概要】
【発明が解決しようとする課題】
【０００５】
関連技術において各サブフレーム内のアップリンクリソース又はダウンリンクリソースが固定されるものではないため、端末がアクセスネットワーク装置によって予め配置されたアップリンクリソース又はプロトコルによって定められたアップリンクリソースを用いて周期的アップリンク情報／信号を伝送することができないという問題を解決するために、本発明の実施例は周期的アップリンク情報／信号伝送方法、装置及びシステムを提供する。前記技術的解決策は以下のとおりである。
【課題を解決するための手段】
【０００６】
本発明の実施例の第一の態様による周期的アップリンク情報／信号伝送方法は、
アクセスネットワーク装置から送信された配置シグナリングを受信し、配置シグナリングに周期的アップリンク情報／信号の配置パラメータが含まれることと、
配置パラメータに基づいてターゲット伝送ユニットを確定することと、
ターゲット伝送ユニット内のアップリンクシンボルの数に基づき、ターゲット周期的アップリンク情報／信号を送信又は破棄することとを含む。
【０００７】
一つの選択可能な実施形態では、周期的アップリンク情報／信号は、
周期的チャネル状態情報（ＣＳＩ）、又は、
周期的チャネルサウンディング基準信号（ＳＲＳ）、又は、
半永続的にスケジューリングされたアップリンクデータを含む。
【０００８】
別の選択可能な実施形態では、配置パラメータは、送信周期、オフセット、ＣＳＩフィードバックモード、伝送モードと物理リソースインジケータのうちの少なくとも一つを含む。
【０００９】
別の選択可能な実施形態では、ターゲット伝送ユニット内のアップリンクシンボルの数に基づき、ターゲット周期的アップリンク情報／信号を送信又は破棄することは、
ターゲット伝送ユニットが通常のアップリンクサブフレーム又は通常のアップリンクタイムスロットである場合、配置パラメータに基づいてターゲット伝送ユニットでターゲット周期的アップリンク情報／信号を送信すること、又は、
ターゲット伝送ユニット内のアップリンクシンボルの数が第一の閾値以上である場合、配置パラメータに基づいてターゲット伝送ユニットでターゲット周期的アップリンク情報／信号を送信することを含む。
【００１０】
別の選択可能な実施形態では、ターゲット伝送ユニット内のアップリンクシンボルの数に基づき、ターゲット周期的アップリンク情報／信号を送信又は破棄することは、
ターゲット伝送ユニットにアップリンクシンボルが含まれない場合、ターゲット周期的アップリンク情報／信号を破棄すること、又は、
ターゲット伝送ユニット内のアップリンクシンボルの数がゼロより大きく且つ第二の閾値未満である場合、ターゲット周期的アップリンク情報／信号を破棄することを含む。
【００１１】
別の選択可能な実施形態では、ターゲット伝送ユニット内のアップリンクシンボルの数に基づき、ターゲット周期的アップリンク情報／信号を送信又は破棄することは、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信すること、又は、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信することを含む。
【００１２】
別の選択可能な実施形態では、第一のタイプの伝送ユニットは、通常のアップリンクサブフレーム、通常のアップリンクタイムスロット、アップリンクシンボルの数が第四の閾値より大きい伝送ユニット、アップリンクシンボルの数が第四の閾値に等しい伝送ユニットのうちのいずれか一つを含む。
【００１３】
別の選択可能な実施形態では、ターゲット伝送ユニット内のアップリンクシンボルの数に基づき、ターゲット周期的アップリンク情報／信号を送信又は破棄することは、
ターゲット伝送ユニット内のアップリンクシンボルの数がゼロより大きく且つ第五の閾値未満である場合、配置パラメータに基づいてターゲット伝送ユニットのアップリンクシンボルでターゲット周期的アップリンク情報／信号内の情報サブセットを送信することを含む。
【００１４】
別の選択可能な実施形態では、周期的アップリンク情報／信号が周期的ＣＳＩを含む場合、情報サブセットは、
チャネル状態情報基準信号リソースインジケーター（ＣＲＩ：ＣＳＩ−ＲＳ  ｒｅｓｏｕｒｃｅ  ｉｎｄｉｃａｔｏｒ）情報、
ランクインジケーター（ＲＩ：Ｒａｎｋ  Ｉｎｄｉｃａｔｏｒ）情報、
チャネル品質インジケータ（ＣＱＩ：Ｃｈａｎｎｅｌ  Ｑｕａｌｉｔｙ  Ｉｎｄｉｃａｔｏｒ）情報、
プリコーディングマトリックスインジケーター（ＰＭＩ：Ｐｒｅ−ｃｏｄｉｎｇ  Ｍａｔｒｉｘ  Ｉｎｄｉｃａｔｏｒ）情報、
第一のＰＭＩ情報のうちの少なくとも一つのサブ情報を含む。
【００１５】
別の選択可能な実施形態では、ターゲット伝送ユニット内のアップリンクシンボルの数に基づき、ターゲット周期的アップリンク情報／信号を送信又は破棄することは、
配置パラメータ及びターゲット伝送ユニット内のアップリンクシンボルの数に基づき、ターゲット周期的アップリンク情報／信号を送信するための時間周波数リソースを確定することと、
配置パラメータに基づいて時間周波数リソースでターゲット周期的アップリンク情報／信号を送信することとを含む。
【００１６】
別の選択可能な実施形態では、ターゲット伝送ユニット内のアップリンクシンボルの数に基づき、ターゲット周期的アップリンク情報／信号を送信又は破棄することは、
配置情報及び１番目の第一のタイプの伝送ユニット内のアップリンクシンボルの数に基づき、ターゲット周期的アップリンク情報／信号を送信するための時間周波数リソースを確定することと、
配置パラメータに基づいて時間周波数リソースでターゲット周期的アップリンク情報／信号を送信することとを含む。
【００１７】
本発明の実施例の第二の態様によれる周期的アップリンク情報／信号伝送方法は、
端末へ配置シグナリングを送信し、配置シグナリングに周期的アップリンク情報／信号の配置パラメータが含まれることと、
配置パラメータに基づいてターゲット伝送ユニットを確定することと、
ターゲット伝送ユニット内のアップリンクシンボルの数に基づき、ターゲット周期的アップリンク情報／信号を受信し、又は受信しないこととを含む。
【００１８】
一つの選択可能な実施形態では、周期的アップリンク情報／信号は、
周期的ＣＳＩ、又は、
ＳＲＳ、又は、
半永続的にスケジューリングされたアップリンクデータを含む。
【００１９】
別の選択可能な実施形態では、配置パラメータは、送信周期、オフセット、ＣＳＩフィードバックモード、伝送モードと物理リソースインジケータのうちの少なくとも一つを含む。
【００２０】
別の選択可能な実施形態では、ターゲット伝送ユニット内のアップリンクシンボルの数に基づき、ターゲット周期的アップリンク情報／信号を受信し、又は受信しないことは、
ターゲット伝送ユニットが通常のアップリンクサブフレーム又は通常のアップリンクタイムスロットである場合、端末が配置パラメータに基づいてターゲット伝送ユニットで送信したターゲット周期的アップリンク情報／信号を受信すること、又は、
ターゲット伝送ユニット内のアップリンクシンボルの数が第一の閾値以上である場合、端末が配置パラメータに基づいてターゲット伝送ユニットで送信したターゲット周期的アップリンク情報／信号を受信することを含む。
【００２１】
別の選択可能な実施形態では、ターゲット伝送ユニット内のアップリンクシンボルの数に基づき、ターゲット周期的アップリンク情報／信号を受信し、又は受信しないことは、
ターゲット伝送ユニットにアップリンクシンボルが含まれない場合、ターゲット周期的アップリンク情報／信号を受信しないこと、又は、
ターゲット伝送ユニット内のアップリンクシンボルの数がゼロより大きく且つ第二の閾値未満である場合、ターゲット周期的アップリンク情報／信号を受信しないことを含む。
【００２２】
別の選択可能な実施形態では、ターゲット伝送ユニット内のアップリンクシンボルの数に基づき、ターゲット周期的アップリンク情報／信号を受信し、又は受信しないことは、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルで送信したターゲット周期的アップリンク情報／信号を受信すること、又は、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルで送信したターゲット周期的アップリンク情報／信号を受信することを含む。
【００２３】
別の選択可能な実施形態では、第一のタイプの伝送ユニットは、通常のアップリンクサブフレーム、通常のアップリンクタイムスロット、アップリンクシンボルの数が第四の閾値より大きい伝送ユニット、アップリンクシンボルの数が第四の閾値に等しい伝送ユニットのうちのいずれか一つを含む。
【００２４】
別の選択可能な実施形態では、ターゲット伝送ユニット内のアップリンクシンボルの数に基づき、ターゲット周期的アップリンク情報／信号を受信し、又は受信しないことは、
ターゲット伝送ユニット内のアップリンクシンボルの数がゼロより大きく且つ第五の閾値未満である場合、端末が配置パラメータに基づいてターゲット伝送ユニットのアップリンクシンボルで送信したターゲット周期的アップリンク情報／信号内の情報サブセットを受信することを含む。
【００２５】
別の選択可能な実施形態では、周期的アップリンク情報／信号が周期的ＣＳＩを含む場合、情報サブセットは、
ＣＲＩ情報、
ＲＩ情報、
ブロードバンドＣＱＩ情報、
ブロードバンドＰＭＩ情報、
第一のＰＭＩ情報のうちの少なくとも一つのサブ情報を含む。
【００２６】
別の選択可能な実施形態では、ターゲット伝送ユニット内のアップリンクシンボルの数に基づき、ターゲット周期的アップリンク情報／信号を受信し、又は受信しないことは、
配置パラメータ及びターゲット伝送ユニット内のアップリンクシンボルの数に基づき、ターゲット周期的アップリンク情報／信号を送信するための時間周波数リソースを確定することと、
端末が配置パラメータに基づいて時間周波数リソースで送信したターゲット周期的アップリンク情報／信号を受信することとを含む。
【００２７】
別の選択可能な実施形態では、ターゲット伝送ユニット内のアップリンクシンボルの数に基づき、ターゲット周期的アップリンク情報／信号を受信し、又は受信しないことは、
配置情報及び１番目の第一のタイプの伝送ユニット内のアップリンクシンボルの数に基づき、ターゲット周期的アップリンク情報／信号を送信するための時間周波数リソースを確定することと、
端末が配置パラメータに基づいて時間周波数リソースで送信したターゲット周期的アップリンク情報／信号を受信することとを含む。
【００２８】
本発明の実施例の第三の態様による周期的アップリンク情報／信号伝送装置は、上記第一の態様又は第一の態様におけるいずれかの選択可能な実施形態で提供される周期的アップリンク情報／信号伝送方法を実行するための少なくとも一つのユニットを備える。
【００２９】
本発明の実施例の第四の態様による周期的アップリンク情報／信号伝送装置は、上記第二の態様又は第二の態様におけるいずれかの選択可能な実施形態で提供される周期的アップリンク情報／信号伝送方法を実行するための少なくとも一つのユニットを備える。
【００３０】
本発明の実施例の第五の態様による端末は、プロセッサ、メモリ、送信機と受信機を備える。
【００３１】
メモリは、プロセッサによって実行されるように示されている一つ又は一つ以上の命令を記憶するように構成される。
【００３２】
プロセッサは、アクセスネットワーク装置から送信された配置シグナリングを受信機を介して受信するように構成され、配置シグナリングに周期的アップリンク情報／信号の配置パラメータが含まれる。
【００３３】
プロセッサはさらに配置パラメータに基づいてターゲット伝送ユニットを確定するように構成される。
【００３４】
プロセッサは、さらにターゲット伝送ユニット内のアップリンクシンボルの数に基づき、ターゲット周期的アップリンク情報／信号を送信機を介して送信又は破棄するように構成される。
【００３５】
一つの選択可能な実施形態では、プロセッサはさらに、
ターゲット伝送ユニットが通常のアップリンクサブフレーム又は通常のアップリンクタイムスロットである場合、送信機によって配置パラメータに基づいてターゲット伝送ユニットでターゲット周期的アップリンク情報／信号を送信するように構成され、又は、
ターゲット伝送ユニット内のアップリンクシンボルの数が第一の閾値以上である場合、送信機によって配置パラメータに基づいてターゲット伝送ユニットでターゲット周期的アップリンク情報／信号を送信するように構成される。
【００３６】
別の選択可能な実施形態では、プロセッサはさらに、
ターゲット伝送ユニットにアップリンクシンボルが含まれない場合、送信機によってターゲット周期的アップリンク情報／信号を破棄するように構成され、又は、
ターゲット伝送ユニット内のアップリンクシンボルの数がゼロより大きく且つ第二の閾値未満である場合、送信機によってターゲット周期的アップリンク情報／信号を破棄するように構成される。
【００３７】
別の選択可能な実施形態では、プロセッサはさらに、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、送信機によって配置パラメータに基づいて１番目の第一のタイプの伝送ユニットのアップリンクシンボルでターゲット周期的アップリンク情報／信号を送信するように構成され、又は、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、送信機によって配置パラメータに基づいて１番目の第一のタイプの伝送ユニットのアップリンクシンボルでターゲット周期的アップリンク情報／信号を送信するように構成される。
【００３８】
別の選択可能な実施形態では、プロセッサはさらに、
ターゲット伝送ユニット内のアップリンクシンボルの数がゼロより大きく且つ第五の閾値未満である場合、送信機によって配置パラメータに基づいてターゲット伝送ユニットのアップリンクシンボルでターゲット周期的アップリンク情報／信号内の情報サブセットを送信するように構成される。
【００３９】
別の選択可能な実施形態では、プロセッサはさらに、
配置パラメータ及びターゲット伝送ユニット内のアップリンクシンボルの数に基づき、ターゲット周期的アップリンク情報／信号を送信するための時間周波数リソースを確定し、
送信機によって配置パラメータに基づいて時間周波数リソースでターゲット周期的アップリンク情報／信号を送信するように構成される。
【００４０】
別の選択可能な実施形態では、プロセッサはさらに、
配置情報及び１番目の第一のタイプの伝送ユニット内のアップリンクシンボルの数に基づき、ターゲット周期的アップリンク情報／信号を送信するための時間周波数リソースを確定し、
送信機によって配置パラメータに基づいて時間周波数リソースでターゲット周期的アップリンク情報／信号を送信するように構成される。
【００４１】
本発明の実施例の第六の態様によるアクセスネットワーク装置は、プロセッサ、メモリ、送信機と受信機を備える。
【００４２】
メモリは、プロセッサによって実行されるように示されている一つ又は一つ以上の命令を記憶するように構成される。
【００４３】
プロセッサは、送信機を介して端末へ配置シグナリングを送信するように構成され、配置シグナリングに周期的アップリンク情報／信号の配置パラメータが含まれる。
【００４４】
プロセッサはさらに配置パラメータに基づいてターゲット伝送ユニットを確定するように構成される。
【００４５】
プロセッサは、さらにターゲット伝送ユニット内のアップリンクシンボルの数に基づき、ターゲット周期的アップリンク情報／信号を受信機を介して受信し、又は受信しないように構成される。
【００４６】
一つの選択可能な実施形態では、プロセッサはさらに、
ターゲット伝送ユニットが通常のアップリンクサブフレーム又は通常のアップリンクタイムスロットである場合、端末が配置パラメータに基づいてターゲット伝送ユニットで送信したターゲット周期的アップリンク情報／信号を受信機を介して受信するように構成され、又は、
ターゲット伝送ユニット内のアップリンクシンボルの数が第一の閾値以上である場合、端末が配置パラメータに基づいてターゲット伝送ユニットで送信したターゲット周期的アップリンク情報／信号を受信機を介して受信するように構成される。
【００４７】
別の選択可能な実施形態では、プロセッサはさらに、
ターゲット伝送ユニットにアップリンクシンボルが含まれない場合、ターゲット周期的アップリンク情報／信号を受信機を介して受信しないように構成され、又は、
ターゲット伝送ユニット内のアップリンクシンボルの数がゼロより大きく且つ第二の閾値未満である場合、ターゲット周期的アップリンク情報／信号を受信機を介して受信しないように構成される。
【００４８】
別の選択可能な実施形態では、プロセッサはさらに、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルで送信したターゲット周期的アップリンク情報／信号を受信機を介して受信するように構成され、又は、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルで送信したターゲット周期的アップリンク情報／信号を受信機を介して受信するように構成される。
【００４９】
別の選択可能な実施形態では、プロセッサはさらに、
ターゲット伝送ユニット内のアップリンクシンボルの数がゼロより大きく且つ第五の閾値未満である場合、端末が配置パラメータに基づいてターゲット伝送ユニットのアップリンクシンボルで送信したターゲット周期的アップリンク情報／信号内の情報サブセットを受信機を介して受信するように構成される。
【００５０】
別の選択可能な実施形態では、プロセッサはさらに、
配置パラメータ及びターゲット伝送ユニット内のアップリンクシンボルの数に基づき、ターゲット周期的アップリンク情報／信号を送信するための時間周波数リソースを確定し、
端末が配置パラメータに基づいて時間周波数リソースで送信したターゲット周期的アップリンク情報／信号を受信機を介して受信するように構成される。
【００５１】
別の選択可能な実施形態では、プロセッサはさらに、
配置情報及び１番目の第一のタイプの伝送ユニット内のアップリンクシンボルの数に基づき、ターゲット周期的アップリンク情報／信号を送信するための時間周波数リソースを確定し、
端末が配置パラメータに基づいて時間周波数リソースで送信したターゲット周期的アップリンク情報／信号を受信機を介して受信するように構成される。
【００５２】
本発明の実施例の第七の態様によるコンピュータ可読媒体は、上記第一の態様又は第一の態様におけるいずれかの選択可能な実施形態で提供される周期的アップリンク情報／信号伝送方法を実行するための一つ又は一つ以上の命令を記憶する。
【００５３】
本発明の実施例の第八の態様によるコンピュータ可読媒体は、上記第二の態様又は第二の態様におけるいずれかの選択可能な実施形態で提供される周期的アップリンク情報／信号伝送方法を実行するための一つ又は一つ以上の命令を記憶する。
【００５４】
本発明の実施例の第九の態様による周期的アップリンク情報／信号伝送システムは、上記第三の態様又は第三の態様におけるいずれかの選択可能な実施形態で提供される周期的アップリンク情報／信号伝送装置を含む端末と、上記第四の態様又は第四の態様におけるいずれかの選択可能な実施形態で提供される周期的アップリンク情報／信号伝送装置を含むアクセスネットワーク装置とを備える。
【００５５】
本発明の実施例の第十の態様による周期的アップリンク情報／信号伝送システムは、上記第五の態様又は第五の態様におけるいずれかの選択可能な実施形態で提供される端末と、上記第六の態様又は第六の態様におけるいずれかの選択可能な実施形態で提供されるアクセスネットワーク装置とを備える。
【発明の効果】
【００５６】
本発明の実施例によって提供される技術的解決策の有益な効果は以下のとおりである。
【００５７】
端末はアクセスネットワーク装置から送信された配置シグナリングを受信し、該配置シグナリングに含まれる配置パラメータに基づいてターゲット伝送ユニットを確定し、そしてターゲット伝送ユニット内のアップリンクシンボルの数に基づき、ターゲット周期的アップリンク情報／信号を送信又は破棄し、これにより、ターゲット周期的アップリンク情報／信号を伝送するための伝送ユニットが動的に変化するフレーム構造を有する場合、端末はターゲット伝送ユニット内のアップリンクシンボルの数に基づき、ターゲット周期的アップリンク情報／信号を送信又は破棄するか否かを確定することができ、ターゲット周期的アップリンク情報／信号を送信する必要があることを確定した場合、該ターゲット周期的アップリンク情報／信号の伝送方式を選択し、該伝送方式に従って該ターゲット周期的アップリンク情報／信号を送信し、それによって端末が周期的アップリンク情報／信号をフィードバックする有効な確率が向上する。
【図面の簡単な説明】
【００５８】
【図１】関連技術におけるフレーム構造タイプ２を示す図である。
【図２】本発明の一つの例示的な実施例による移動通信システムの構造図である。
【図３Ａ】本発明の一つの例示的な実施例による端末の構造図である。
【図３Ｂ】本発明の一つの例示的な実施例によるアクセスネットワーク装置の構造図である。
【図４】本発明の一つの例示的な実施例による周期的アップリンク情報／信号伝送方法のフローチャートである。
【図５】本発明の別の実施例による第一の周期的アップリンク情報／信号伝送方法に関するターゲット伝送ユニットを示す図である。
【図６】本発明の別の実施例による第二の周期的アップリンク情報／信号伝送方法に関するターゲット伝送ユニットを示す図である。
【図７】本発明の別の実施例による第五の周期的アップリンク情報／信号伝送方法に関するターゲット伝送ユニットを示す図である。
【図８】本発明の別の実施例による周期的アップリンク情報／信号伝送方法に関する原理を示す図である。
【図９】本発明の一つの実施例による周期的アップリンク情報／信号伝送装置の構造図である。
【図１０】本発明の別の実施例による周期的アップリンク情報／信号伝送装置の構造図である。
【発明を実施するための形態】
【００５９】
本発明の実施例における技術的解決策をより明確に説明するために、以下に実施例の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００６０】
本発明の目的、技術的解決策と利点をより明確にするために、以下に図面と組み合わせて本発明の実施形態をさらに詳しく説明する。
【００６１】
本明細書に言及される「第一」、「第二」及び類似の単語はいかなる順序、数量又は重要性を表すものではなく、異なる構成部分を区別するために用いられる。同様に、「一つ」又は「一」などの類似の単語も数量制限を表すものではなく、少なくとも一つ存在することを示す。「接続」又は「相連」などの類似の単語は物理的又は機械的な接続に限定されなく、直接又は間接に関わらず、電気的接続を含むことができる。
【００６２】
本明細書で言及される「モジュール」は一般的にメモリに記憶された、いくつかの機能を実行できるプログラム又は命令を指し、本明細書で言及される「ユニット」は一般的に論理的に分けられる機能構造を指し、該「ユニット」は純粋なハードウェア、又は、ソフトウェアとハードウェアの組み合わせで実現されてもよい。
【００６３】
本明細書で言及される「複数」は２つ又は２つ以上を意味する。「及び／又は」は、関連するオブジェクトの関連関係を記述するためのものであり、３種類の関係が存在してもよいことを示し、Ａ及び／又はＢは、Ａが単独で存在すること、ＡとＢが同時に存在すること、Ｂが単独で存在することの３つの状況を示すことができる。文字「／」は、一般的に前後にある関連オブジェクトが「又は」の関係であることを示す。
【００６４】
関連技術において、ＬＴＥ／ＬＴＥ−Ａのフレーム構造のタイプがフレーム構造タイプ１とフレーム構造タイプ２を含む。フレーム構造タイプ１は全二重及び半二重周波数分割二重（ＦＤＤ：Ｆｒｅｑｕｅｎｃｙ  Ｄｉｖｉｓｉｏｎ  Ｄｕｐｌｅｘ）に用いられる。フレーム構造タイプ２は時分割二重（ＴＤＤ：Ｆｒｅｑｕｅｎｃｙ  Ｄｉｖｉｓｉｏｎ  Ｄｕｐｌｅｘ）に用いられる。
【００６５】
図１はフレーム構造タイプ２を示す図である。一つの１０ｍｓの無線フレームが２つの５ｍｓ長さの半分フレームから構成され、各半分フレームが５つの１ｍｓ長さのサブフレームから構成され、５つのサブフレームが４つの一般的なサブフレームと一つの特殊なサブフレーム（ダウンリンク／アップリンクハンドオーバに必要な保護時間を提供することに用いられる）を含む。ここで一般的なサブフレームが２つの０．５ｍｓのタイムスロットから構成され、特殊サブフレームがＤｗｐドメイン、保護タイムスロット（ＧＰ：ｇｕａｒｄ  ｐｅｒｉｏｄ）ドメインとアップリンクパイロットタイムスロット（ＵｐＰＴＳ）ドメインという３つのドメインを含む。フレーム構造タイプ２のアップリンク及びダウンリンク配置が表１に示され、ここでＵがアップリンクサブフレームを表し、Ｄがダウンリンクサブフレームを表し、Ｓが特殊なサブフレームを表す。
【００６６】
2020518156.tif 000003
これから分かるように、ＬＴＥ／ＬＴＥ−Ａシステムでの各サブフレームの伝送方向（アップリンク又はダウンリンク）及び各サブフレームにおけるアップリンクリソース又はダウンリンクリソースの数が固定される。５Ｇシステムでは、ＬＴＥシステムのための固定されたフレーム構造とは異なり、５Ｇシステムにおいて、柔軟に配置されたフレーム構造を用いることができる。
【００６７】
選択可能に、５Ｇシステムでは、時間周波数リソースは異なる可変伝送時間間隔（ＴＴＩ：Ｔｒａｎｓｍｉｓｓｉｏｎ  Ｔｉｍｅ  Ｉｎｔｅｒｖａｌ）に従って分割されてもよい。選択可能に、ＴＴＩが１ｍｓ、０．５ｍｓ、０．０６ｍｓなどである。各ＴＴＩがシンボル（ｓｙｍｂｏｌ）、シンボルグループ（ｓｙｍｂｏｌ  ｇｒｏｕｐ）、タイムスロット（ｓｌｏｔ）又はサブフレーム（ｓｕｂｆｒａｍｅ）に従って分割されてもよく、例えば、１つのＴＴＩが２つのタイムスロットに分割され、一つのＴＴＩが１４つのシンボルに分割され、さらには一つのＴＴＩが４つのシンボル又は３つのシンボル又は２つのシンボルに分割されることなどがある。柔軟なフレーム構造を有する通信システムでは、各サブフレームにおけるアップリンクリソース又はダウンリンクリソースが固定されないため、端末１４０はアクセスネットワーク装置１２０によって予め配置されたアップリンクリソース又はプロトコルによって定められたアップリンクリソースを用いて周期的アップリンク情報／信号を伝送することができない。したがって、ＬＴＥにおける周期的アップリンク情報／信号伝送方式は柔軟なフレーム構造を有する通信システムに適合しない。
【００６８】
この技術的問題に基づき、本発明は周期的アップリンク情報／信号伝送方法、装置及びシステムを提供する。以下の図２〜図８で提供される実施例を参照する。
【００６９】
まず本発明の実施例に係るいくつかの名詞を説明する。
【００７０】
１、周期的アップリンク情報／信号は、端末が予め設定された時間周期に従ってアップリンクリソースでアクセスネットワーク装置に送信するアップリンク情報／信号である。ここで、周期的アップリンク情報は物理アップリンク制御チャネル（ＰＵＣＣＨ）で伝送されてもよいし、物理アップリンク共有チャネル（ＰＵＳＣＨ）でデータと多重化して伝送されてもよい。周期的アップリンク情報が周期的ＣＳＩ又は半静的にスケジューリングされたアップリンクデータを含み、周期アップリンク信号がＳＲＳを含む。
【００７１】
２、周期的ＣＳＩは、端末が予め設定された時間周期に従ってアクセスネットワーク装置側に送信するアップリンクチャネルのチャネル状態情報であり、端末のアップリンクチャネルのチャネル状態を示すことに用いられる。選択可能に、周期的ＣＳＩはＣＲＩ情報、ＲＩ情報、ブロードバンドＣＱＩ情報、ブロードバンドＰＭＩ情報と第一のＰＭＩ情報のうちの少なくとも一つのサブ情報を含む。選択可能に、周期的ＣＳＩはさらにサブバンドＣＲＩ情報、第二のＰＭＩ情報とＰＴＩ情報のうちの少なくとも一つを含む。
【００７２】
３、ターゲット周期的アップリンク情報／信号は端末が今回送信する周期的アップリンク情報／信号、又は直近に送信する必要がある周期的アップリンク情報／信号である。
【００７３】
４、周期的アップリンク情報／信号の配置パラメータは周期的アップリンク情報／信号伝送方式を設定するための情報であり、一般的に送信周期、オフセット、ＣＳＩフィードバックモード、伝送モードと物理リソースインジケータのうちの少なくとも一つを含む。ここで、送信周期は端末がアクセスネットワーク装置に周期的アップリンク情報／信号を伝送する時間周期を示すことに用いられ、オフセットは無線フレームにおけるターゲット伝送ユニットのオフセット位置を示すことに用いられ、フィードバックモードは端末がアクセスネットワーク装置に周期ＣＳＩを伝送するモードタイプを示すことに用いられ、物理リソースインジケータはターゲット伝送ユニットの時間領域リソース、周波数領域リソースとコードドメインのうちの少なくとも一つを示すことに用いられる。
【００７４】
５、ターゲット伝送ユニットは、初期確定された、ターゲット周期的アップリンク情報／信号を伝送するための伝送ユニットである。ターゲット伝送ユニットは、必ずしもターゲット周期的アップリンク情報／信号を伝送するための伝送ユニットとして最終的に確定されない。選択可能に、ターゲット伝送ユニットはサブフレーム又はタイムスロットである。
【００７５】
６、アップリンクシンボルの数はターゲット伝送ユニットの時間領域におけるアップリンクシンボルの数である。選択可能に、ターゲット伝送ユニットが通常のアップリンクサブフレーム又は通常のアップリンクタイムスロットである場合、アップリンクシンボルの数は７である。
【００７６】
説明すべきものとして、本発明の実施例に係る一部の関連名詞について３ＧＰＰプロトコルのＴＳ  ３６．２１３中の７．２節における対応する関連説明を参照することができ、例えば、周期的ＣＳＩ、ＣＲＩ情報、ＲＩ情報、ブロードバンドＣＱＩ情報、ブロードバンドＰＭＩ情報と第一のＰＭＩ情報であり、本明細書で説明を省略する。
【００７７】
図２を参照し、それが本発明の一つの例示的な実施例による移動通信システムの構造図である。移動通信システムはＬＴＥシステムであってもよいし、ＬＴＥ−Ａシステムであってもよいし、また５Ｇシステムであってもよく、５Ｇシステムが新しいエアインタフェース（ＮＲ：Ｎｅｗ  Ｒａｄｉｏ）システムとも呼ばれ、本実施例で限定されない。該移動通信システムはアクセスネットワーク装置１２０と端末１４０を備える。
【００７８】
アクセスネットワーク装置１２０は基地局であってもよく、該基地局が受信された無線フレームとＩＰパケットメッセージを相互に変換することに用いられてもよく、またエアインターフェイスに対する属性管理を協調することもできる。例えば、基地局はＬＴＥにおける進化型基地局（ｅＮＢ又はｅ−ＮｏｄｅＢ：ｅｖｏｌｕｔｉｏｎａｌ  Ｎｏｄｅ  Ｂ）、又は、５Ｇシステムにおける集中分散型アーキテクチャを用いた基地局であってもよい。アクセスネットワーク装置１２０は集中分散型アーキテクチャを用いる場合、一般的に集中ユニット（ＣＵ：ｃｅｎｔｒａｌ  ｕｎｉｔ）と少なくとも２つの分散ユニット（ＤＵ：ｄｉｓｔｒｉｂｕｔｅｄ  ｕｎｉｔ）を含む。集中ユニットにパケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク層制御プロトコル（ＲＬＣ：Ｒａｄｉｏ  Ｌｉｎｋ  Ｃｏｎｔｒｏｌ）層、メディアアクセス制御（ＭＡＣ：Ｍｅｄｉａ  Ａｃｃｅｓｓ  Ｃｏｎｔｒｏｌ）層のプロトコルスタックが設定され、分散ユニットに物理層（Ｐｈｙｓｉｃａｌ、ＰＨＹ）のプロトコルスタックが設定され、本発明の実施例ではアクセスネットワーク装置１２０の具体的な実施形態が限定されない。選択可能に、アクセスネットワーク装置はさらにホーム基地局（ＨｅＮＢ：Ｈｏｍｅ  ｅＮＢ）、中継（Ｒｅｌａｙ）、ピコ基地局（Ｐｉｃｏ）などを含むことができる。
【００７９】
アクセスネットワーク装置１２０と端末１４０は無線エアインタフェースを介して無線接続を確立する。選択可能に、該無線エアインタフェースは５Ｇ基準に基づく無線エアインタフェースであり、例えば該無線エアインタフェースは新しいエアインタフェース（ＮＲ：Ｎｅｗ  Ｒａｄｉｏ）であり、又は、該無線エアインタフェースは５Ｇの次世代の移動通信ネットワーク技術基準に基づく無線エアインタフェースであってもよく、又は、該無線エアインタフェースも４Ｇ基準（ＬＴＥシステム）に基づく無線エアインタフェースであってもよい。アクセスネットワーク装置１２０は端末１４０から送信されたアップリンクデータを無線接続により受信することができる。
【００８０】
端末１４０はアクセスネットワーク装置１２０とデータ通信を行う装置であってもよい。端末１４０は無線アクセスネットワーク（ＲＡＮ：Ｒａｄｉｏ  Ａｃｃｅｓｓ  Ｎｅｔｗｏｒｋ）を介して一つ又は複数のコアネットワークと通信を行うことができ、端末１４０は移動端末例えば移動電話（又は「セルラー」電話と呼ばれる）と、移動端末を備えたコンピュータであってもよく、例えば、ポータブル型、ポケット型、ハンドヘルド型、コンピュータ内蔵型又は車載移動装置であってもよい。例えば、それは、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局、遠隔ステーション（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ装置（Ｕｓｅｒ  Ｔｅｒｍｉｎａｌ）、ユーザエージェント（Ｕｓｅｒ  Ａｇｅｎｔ）、端末（Ｕｓｅｒ  Ｄｅｖｉｃｅ）、又はユーザ端末（ＵＥ：Ｕｓｅｒ  Ｅｑｕｉｐｍｅｎｔ）である。選択可能に、端末１４０はさらに中継（Ｒｅｌａｙ）装置であってもよく、本実施例において限定されない。端末１４０はアクセスネットワーク装置１２０との無線接続により、アクセスネットワーク装置１２０へアップリンクデータを送信することができる。
【００８１】
選択可能に、アクセスネットワーク装置１２０は端末１４０に配置シグナリングを送信し、該配置シグナリングに周期的アップリンク情報／信号の配置パラメータが含まれる。それに対応して、端末１４０は受信された配置シグナリングにおける配置パラメータに基づいてターゲット伝送ユニットを確定し、そしてターゲット伝送ユニット内のアップリンクシンボルの数に基づき、ターゲット周期的アップリンク情報／信号を送信又は破棄する。
【００８２】
説明すべきものとして、図２に示す移動通信システムは、複数のアクセスネットワーク装置１２０及び／又は複数の端末１４０を備えることができ、図２に一つのアクセスネットワーク装置１２０と一つの端末１４０を示すことを例として説明するが、本実施例はこれに限定されない。
【００８３】
図３Ａを参照し、それが本発明の一つの例示的な実施例による端末の構造図を示す。該アクセスネットワーク装置は図２に示す移動通信システムにおける端末１４０であってもよい。本実施例は、端末１４０がＬＴＥシステム又は５ＧシステムにおけるＵＥであることを例として説明し、該端末がプロセッサ２１、受信機２２、送信機２３、メモリ２４とバス２５を備える。
【００８４】
プロセッサ２１は、一つ又は一つ以上の処理コアを含み、プロセッサ２１はソフトウェアプログラム及びモジュールを実行することにより、各種の機能アプリケーション及び情報処理を実行する。
【００８５】
受信機２２と送信機２３は、一つの通信コンポーネントとして実現されてもよく、該通信コンポーネントが一つの通信チップであってもよく、通信チップが情報を変調及び／又は復調し、無線信号によって該情報を受信又は送信するために、受信モジュール、送信モジュールとモデムモジュールなどを含むことができる。
【００８６】
メモリ２４はバス２５を介してプロセッサ２１に接続される。
【００８７】
メモリ２４はソフトウェアプログラム及びモジュールを記憶することに用いられてもよい。
【００８８】
メモリ２４は少なくとも一つの機能によって記述されたるプリケーションプログラムモジュール２６を記憶することができる。アプリケーションプログラムモジュール２６は受信モジュール２６１、確定モジュール２６２と送信モジュール２６３を含むことができる。
【００８９】
プロセッサ２１は受信モジュール２６１を実行して上記各方法の実施例における受信ステップに関連する機能を実施することに用いられ、プロセッサ２１は確定モジュール２６２を実行して上記各方法の実施例における確定ステップに関連する機能を実施することに用いられ、プロセッサ２１は送信モジュール２６３を実行して上記各方法の実施例における送信ステップに関連する機能を実施することに用いられる。
【００９０】
メモリ２４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【００９１】
図３Ｂを参照し、それが本発明の一つの例示的な実施例によるアクセスネットワーク装置の構造図を示す。該端末は図２に示す移動通信システムにおけるアクセスネットワーク装置１２０であってもよい。本実施例は、アクセスネットワーク装置１２０がＬＴＥシステムにおけるｅＮＢ、又は５ＧシステムにおけるｇＮＢであることを例として説明し、該アクセスネットワーク装置がプロセッサ３１、受信機３２、送信機３３、メモリ３４とバス３５を備える。
【００９２】
プロセッサ３１は、一つ又は一つ以上の処理コアを含み、プロセッサ３１はソフトウェアプログラム及びモジュールを実行することにより、各種の機能アプリケーション及び情報処理を実行する。
【００９３】
受信機３２と送信機３３は、一つの通信コンポーネントとして実現されてもよく、該通信コンポーネントが一つの通信チップであってもよく、通信チップが情報を変調及び／又は復調し、無線信号によって該情報を受信又は送信するために、受信モジュール、送信モジュールとモデムモジュールなどを含むことができる。
【００９４】
メモリ３４はバス３５を介してプロセッサ３１に接続される。
【００９５】
メモリ３４はソフトウェアプログラム及びモジュールを記憶することに用いられてもよい。
【００９６】
メモリ３４は少なくとも一つの機能によって記述されたるプリケーションプログラムモジュール３６を記憶することができる。アプリケーションプログラムモジュール３６は送信モジュール３６１、確定モジュール３６２と受信モジュール３６３を含むことができる。
【００９７】
プロセッサ３１は送信モジュール３６１を実行して上記各方法の実施例における送信ステップに関連する機能を実施することに用いられ、プロセッサ３１は確定モジュール３６２を実行して上記各方法の実施例における確定ステップに関連する機能を実施することに用いられ、プロセッサ３１は受信モジュール３６３を実行して上記各方法の実施例における受信ステップに関連する機能を実施することに用いられる。
【００９８】
メモリ３４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【００９９】
図４を参照し、それは本発明の一つの例示的な実施例による周期的アップリンク情報／信号伝送方法のフローチャートである。該方法は図２に示す移動通信システムに用いられる。該方法は以下のいくつかのステップを含む。
【０１００】
ステップ４０１において、アクセスネットワーク装置は周期的アップリンク情報／信号の配置パラメータを確定する。
【０１０１】
周期的アップリンク情報／信号が周期的ＣＳＩであることを例とし、アクセスネットワーク装置は、周期的アップリンク情報／信号の配置パラメータが送信周期、オフセット、ＣＳＩフィードバックモード、伝送モードと物理リソースインジケータのうちの少なくとも一つを含むことを確定する。
【０１０２】
選択可能に、配置パラメータは表２に示す各パラメータのうちの少なくとも一つを含み、且つ表２に示す各パラメータに限定されない。理解すべきものとして、表２における各パラメータが対応する番号と記述情報を有するが、番号と記述情報が対応するパラメータの一部ではなく、番号と記述情報が記述を容易にするために追加される。
【０１０３】
2020518156.tif 000004
2020518156.tif 000005
2020518156.tif 000006
2020518156.tif 000007
2020518156.tif 000008
2020518156.tif 000009
2020518156.tif 000010
選択可能に、アクセスネットワーク装置は確定された周期的アップリンク情報／信号の配置パラメータに基づき、配置シグナリングを生成する。
【０１０４】
ステップ４０２において、アクセスネットワーク装置は端末へ配置シグナリングを送信し、該配置シグナリングに周期的アップリンク情報／信号の配置パラメータが含まれる。
【０１０５】
選択可能に、アクセスネットワーク装置は確定された配置シグナリングを上位層シグナリングを介して端末に送信し、又は確定された配置シグナリングを物理ダウンリンク制御チャネル（ＰＤＣＣＨ）を介して端末に送信する。ここで、アクセスネットワーク装置が上位層シグナリングを介して送信する配置シグナリングはセルレベルの配置シグナリング（Ｃｅｌｌ  ｓｐｅｃｉｆｉｃ）又は端末レベルの配置シグナリング（端末  ｓｐｅｃｉｆｉｃ）であり、アクセスネットワーク装置に用いられる上位層シグナリングはレイヤ３（Ｌ３）及びレイヤ２（Ｌ２）シグナリング、例えば無線リソース制御（ＲＲＣ）シグナリングであってもよい。
【０１０６】
ステップ４０３において、端末はアクセスネットワーク装置から送信された配置シグナリングを受信する。
【０１０７】
それに対応して、端末はアクセスネットワーク装置から送信された配置シグナリングを受信し、そして該配置シグナリングにおける周期的アップリンク情報／信号の配置パラメータを取得する。
【０１０８】
ステップ４０４において、端末は配置パラメータに基づいてターゲット伝送ユニットを確定する。
【０１０９】
選択可能に、端末は送信周期とオフセットに基づいてターゲット伝送ユニットを確定し、又は端末は送信周期、オフセットと物理リソースインジケータに基づいてターゲット伝送ユニットを確定する。
【０１１０】
一つの例示的な例では、端末が受信された配置シグナリングに基づき、配置シグナリングにおける送信周期「２ｍｓ」とオフセット「３」を取得する場合、端末は今回の伝送されるターゲット伝送ユニットを一つの無線フレームにおける「３」番目のサブフレームとして確定する。
【０１１１】
ステップ４０５において、アクセスネットワーク装置は配置パラメータに基づいてターゲット伝送ユニットを確定する。
【０１１２】
選択可能に、アクセスネットワーク装置はステップ４０１で周期的アップリンク情報／信号の配置パラメータを確定した後、配置パラメータに基づいてターゲット伝送ユニットを確定する。関連する確定ステップについてステップ４０４を参照することができる。
【０１１３】
選択可能に、ステップ４０４はステップ４０２又はステップ４０３又はステップ４０４と並列に実行されてもよく、本実施例において限定されない。
【０１１４】
ステップ４０６において、端末はターゲット伝送ユニット内のアップリンクシンボルの数に基づき、ターゲット周期的アップリンク情報／信号を送信又は破棄する。
【０１１５】
選択可能に、端末はターゲット伝送ユニット内のアップリンクシンボルの数に基づき、ターゲット伝送ユニットが送信する必要があるか否かを確定し、必要がない場合、ターゲット周期的アップリンク情報／信号を破棄し、必要がある場合、該ターゲット伝送ユニットに対応する伝送方式を確定し、そして該伝送方式に従ってアクセスネットワーク装置へターゲット周期的アップリンク情報／信号を送信する。
【０１１６】
概略的に、ターゲット伝送ユニットに含まれるアップリンクシンボルの数の範囲が０〜７である。
【０１１７】
選択可能に、ターゲット周期的アップリンク情報／信号は周期的ＣＳＩを含み、端末が送信周期に従ってＰＵＣＣＨで周期的ＣＳＩを送信する場合、用いられるＰＵＣＣＨのチャネルフォーマットはＰＵＣＣＨ  ｆｏｒｍａｔ２、ＰＵＣＣＨ  ｆｏｒｍａｔ２ａとＰＵＣＣＨ  ｆｏｒｍａｔ２ｂのうちのいずれか一つである。
【０１１８】
例示的な一例において、端末によって受信された配置パラメータが送信周期「５ｍｓ」、オフセット「３」、物理リソースインジケータ「インデックスＡ」、ＣＳＩフィードバックモード「Ｔｙｐｅ１０」、伝送モード「Ｍｏｄｅ４」である場合、端末は送信周期「５ｍｓ」、オフセット「３」、物理リソースインジケータ「インデックスＡ」に基づいてターゲット伝送ユニットＢを確定し、そしてターゲット伝送ユニットＢにおけるアップリンクシンボルの数に基づき、ターゲット周期的アップリンク情報／信号を送信する必要があることを確定し、そのため端末は５ｍｓごとに閉ループ空間多重化モードに従ってＣＲＩ情報をアクセスネットワーク装置に送信する。
【０１１９】
ステップ４０７において、アクセスネットワーク装置はターゲット伝送ユニット内のアップリンクシンボルの数に基づき、ターゲット周期的アップリンク情報／信号を受信し、又は受信しない。
【０１２０】
それに対応して、アクセスネットワーク装置はターゲット伝送ユニット内のアップリンクシンボルの数に基づき、ターゲット周期的アップリンク情報／信号を受信するか否かを確定する。
【０１２１】
上述したように、本発明の実施例では、端末はアクセスネットワーク装置から送信された配置シグナリングを受信し、該配置シグナリングに含まれる配置パラメータに基づいてターゲット伝送ユニットを確定し、そしてターゲット伝送ユニット内のアップリンクシンボルの数に基づき、ターゲット周期的アップリンク情報／信号を送信又は破棄し、これにより、ターゲット周期的アップリンク情報／信号を伝送するための伝送ユニットが動的に変化するフレーム構造を有する場合、端末はターゲット伝送ユニット内のアップリンクシンボルの数に基づき、ターゲット周期的アップリンク情報／信号を送信又は破棄するか否かを確定することができ、ターゲット周期的アップリンク情報／信号を送信する必要があることを確定した場合、該ターゲット周期的アップリンク情報／信号の伝送方式を選択し、該伝送方式に従って該ターゲット周期的アップリンク情報／信号を送信し、それによって端末が周期的アップリンク情報／信号をフィードバックする有効な確率が向上する。
【０１２２】
ステップ４０５に対して、本明細書でいくつかの可能な周期的アップリンク情報／信号伝送方法が提供され、具体的に以下の通りである。
【０１２３】
第一の周期的アップリンク情報／信号伝送方法において、
ターゲット伝送ユニットが通常のアップリンクサブフレーム又は通常のアップリンクタイムスロットである場合、端末は配置パラメータに基づいてターゲット伝送ユニットでターゲット周期的アップリンク情報／信号を送信し、それに対応して、アクセスネットワーク装置は端末から送信されたターゲット周期的アップリンク情報／信号を受信する。
【０１２４】
選択可能に、通常のアップリンクサブフレームにダウンリンクシンボルが含まれず、即ち通常のアップリンクサブフレームにおけるシンボルのタイプがいずれもアップリンクシンボルであり、通常のアップリンクタイムスロットにダウンリンクシンボルが含まれず、即ち通常のアップリンクタイムスロットにおけるシンボルのタイプがいずれアップリンクシンボルである。本実施例では通常のアップリンクサブフレーム又は通常のアップリンクタイムスロットに含まれるアップリンクシンボルの数が限定されない。
【０１２５】
以下にターゲット伝送ユニットが一つのタイムスロット（通常のアップリンクタイムスロットが７つのアップリンクシンボルを含む）であることのみを例として説明する。
【０１２６】
一つの例示的な例では、図５に示すように、ターゲット伝送ユニットが７つのシンボル（「０」番目〜「６番目」）を含み、この７つのシンボルがいずれもアップリンクシンボル５２であり、即ち該ターゲット伝送ユニットが通常のアップリンクタイムスロットである場合、端末は配置パラメータに基づいて該ターゲット伝送ユニットの７つのアップリンクシンボル５２でターゲット周期的アップリンク情報／信号を送信する。
【０１２７】
第二の周期的アップリンク情報／信号伝送方法において、
ターゲット伝送ユニット内のアップリンクシンボルの数が第一の閾値以上である場合、配置パラメータに基づいてターゲット伝送ユニットでターゲット周期的アップリンク情報／信号を送信し、それに対応して、アクセスネットワーク装置は端末から送信されたターゲット周期的アップリンク情報／信号を受信する。
【０１２８】
選択可能に、第一の閾値が７より小さい正整数であり、概略的に、第一の閾値の値が５である。
【０１２９】
一つの例示的な例では、図６に示すように、ターゲット伝送ユニットが２つのダウンリンクシンボル５２と５つのアップリンクシンボル５４を含み、端末が該ターゲット伝送ユニット内のアップリンクシンボルの数「５」が第一の閾値「５」に等しいことを判定した場合、端末は、配信パラメータに基づいてターゲット伝送ユニットの５つのアップリンクシンボル５４でターゲット周期的アップリンク情報／信号を送信する。
【０１３０】
第三の周期的アップリンク情報／信号伝送方法において、
ターゲット伝送ユニットにアップリンクシンボルが含まれない場合、ターゲット周期的アップリンク情報／信号を破棄し、それに対応して、アクセスネットワーク装置は該ターゲット周期的アップリンク情報／信号を受信しない。
【０１３１】
選択可能に、ターゲット周期的アップリンク情報／信号を破棄することは、端末がアクセスネットワーク装置へターゲット周期的アップリンク情報／信号を送信しないことを指す。選択可能に、端末はさらにターゲット周期的アップリンク情報／信号をキャッシュからクリアする。
【０１３２】
第四の周期的アップリンク情報／信号伝送方法において、
ターゲット伝送ユニット内のアップリンクシンボルの数がゼロより大きく且つ第二の閾値より小さい場合、ターゲット周期的アップリンク情報／信号を破棄し、それに対応して、アクセスネットワーク装置は該ターゲット周期的アップリンク情報／信号を受信しない。
【０１３３】
選択可能に、第二の閾値が５より小さい正整数であり、概略的に、第二の閾値の値が４である。
【０１３４】
例えば、ターゲット伝送ユニットに３つのアップリンクシンボルが含まれる場合、端末は該ターゲット伝送ユニット内のアップリンクシンボルの数「３」がゼロより大きく且つ第二の閾値「４」未満であることを判定し、そのため端末はターゲット周期的アップリンク情報／信号を破棄する。
【０１３５】
第五の周期的アップリンク情報／信号伝送方法において、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルでターゲット周期的アップリンク情報／信号を送信し、それに対応して、アクセスネットワーク装置は端末から送信されたターゲット周期的アップリンク情報／信号を受信する。
【０１３６】
選択可能に、伝送ユニットは第一のタイプの伝送ユニットと第二のタイプの伝送ユニットという２つのタイプを含む。ここで、第一のタイプの伝送ユニットは、通常のアップリンクサブフレーム、通常のアップリンクタイムスロット、アップリンクシンボルの数が第四の閾値より大きい伝送ユニット、アップリンクシンボルの数が第四の閾値に等しい伝送ユニットのうちのいずれか一つを含む。第二のタイプの伝送ユニットは第一のタイプの伝送ユニットに属しない伝送ユニットを含み、概略的に、第四の閾値は３より大きい正整数である。
【０１３７】
選択可能に、予め設定された期間はアクセスネットワーク装置によって予め設定され又はプロトコルによって予め設定され、概略的に、予め設定された期間は３ｍｓである。
【０１３８】
一つの例示的な例では、予め設定された期間は３ｍｓであり、図７に示すように、ターゲット伝送ユニットＡからの３ｍｓ内の伝送ユニットは順次ターゲット伝送ユニットＡ、伝送ユニットＢ、伝送ユニットＣ、伝送ユニットＤ、伝送ユニットＥと伝送ユニットＦである。ここで、ターゲット伝送ユニットＡと伝送ユニットＤにアップリンクシンボルが含まれず、伝送ユニットＢは通常のアップリンクタイムスロット（７つのアップリンクシンボルを含む）であり、伝送ユニットＣはアップリンクシンボルの数が第四の閾値「４」に等しい伝送ユニットであり、伝送ユニットＥと伝送ユニットＦはいずれもアップリンクシンボルの数が第四の閾値「４」より小さい伝送ユニットであり、伝送ユニットＢと伝送Ｃは第一のタイプの伝送ユニット７２に属し、ターゲット伝送ユニットＡ、伝送ユニットＤ、伝送ユニットＥと伝送ユニットＦは第二のタイプの伝送ユニット７４に属する。端末は、ターゲット伝送ユニットＡがアップリンクシンボルを含めないことを判定した場合、ターゲット伝送ユニットＡからの３ｍｓ内の１番目の第一のタイプの伝送ユニットが伝送ユニットＢであることを確定する。端末は配置パラメータに基づいて伝送ユニットＢの７つのアップリンクシンボルでターゲット周期的アップリンク情報／信号を送信する。
【０１３９】
第六の周期的アップリンク情報／信号伝送方法において、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信する。
【０１４０】
例えば、第三の閾値の値が４であり、ターゲット伝送ユニットに３つのアップリンクシンボルが含まれ、端末が該ターゲット伝送ユニット内のアップリンクシンボルの数「３」がゼロより大きく且つ第三の閾値「４」未満であることを判定した場合、端末は、ターゲット伝送ユニットからの予め設定された期間内又はターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信する。
【０１４１】
説明すべきものとして、端末がどのように１番目の第一のタイプの伝送ユニットを確定するか及びどのようにターゲット周期的アップリンク情報／信号を送信するかの関連詳細について第五のターゲット周期的アップリンク情報／信号伝送方法の関連説明を参照することができ、ここで説明を省略する。
【０１４２】
第七の周期的アップリンク情報／信号伝送方法において、
ターゲット伝送ユニット内のアップリンクシンボルの数がゼロより大きく且つ第五の閾値未満である場合、配置パラメータに基づいてターゲット伝送ユニットのアップリンクシンボルでターゲット周期的アップリンク情報／信号内の情報サブセットを送信する。
【０１４３】
選択可能に、周期的アップリンク情報／信号が周期的ＣＳＩを含む場合、情報サブセットは、ＣＲＩ情報、ＲＩ情報、ブロードバンドＣＱＩ情報、ブロードバンドＰＭＩ情報と第一のＰＭＩ情報のうちの少なくとも一つのサブ情報を含む。
【０１４４】
選択可能に、情報サブセットはさらにサブバンドＣＱＩ情報、第二のＰＭＩ情報とＰＴＩ情報のうちの少なくとも一つを含む。本実施例では情報サブセットにおけるサブ情報の種類が限定されない。
【０１４５】
例えば、第五の閾値の値が３であり、ターゲット伝送ユニットに２つのアップリンクシンボルが含まれ、端末が該ターゲット伝送ユニット内のアップリンクシンボルの数「２」がゼロより大きく且つ第五の閾値「３」未満であることを判定した場合、端末は、配置パラメータに基づいて伝送ユニットのアップリンクシンボルでターゲット周期的アップリンク情報／信号内のＣＲＩ情報を送信する。
【０１４６】
第八の周期的アップリンク情報／信号伝送方法において、
１、端末は配置パラメータ及びターゲット伝送ユニット内のアップリンクシンボルの数に基づき、ターゲット周期的アップリンク情報／信号を送信するための時間周波数リソースを確定する。
【０１４７】
ターゲット伝送ユニット内のアップリンクシンボルの数が動的に変化するため、ターゲット伝送ユニット内のアップリンクシンボルの数が予め設定された閾値より小さく又は大きい場合、端末はターゲット周期的アップリンク情報／信号を送信するための時間周波数リソースを調整することができ、これにより端末は配置パラメータに基づいて該時間周波数リソースでターゲット周期的アップリンク情報／信号を送信し、それによってターゲット周期的アップリンク情報／信号を送信するための時間周波数リソースが小さすぎるため、送信できないという状況を回避する。
【０１４８】
選択可能に、ターゲット周期的アップリンク情報／信号を送信するための通常の時間周波数リソースは一般的にＡ×Ｂ個のリソースエレメント（ＲＥ：Ｒｅｓｏｕｒｃｅ  Ｅｌｅｍｅｎｔ）を含み、ターゲット伝送ユニット（Ｃ×Ｄ個のＲＥを含む）におけるアップリンクシンボルの数Ｃが予め設定された閾値より小さく又は大きい場合、端末は周波数領域において占有されたサブ搬送波の数Ｄを調整し、これにより、ターゲット周期的アップリンク情報／信号を送信するための時間周波数リソースに含まれるＲＥの数と通常の時間周波数リソースに含まれるＲＥの数との絶対差値が差閾値より小さい。
【０１４９】
一つの可能な実施形態では、端末はアップリンクシンボルの数と時間周波数リソースの数とのマッピング関係を予め記憶する。選択可能に、該マッピング関係は通信プロトコルによって予め定義され、該マッピング関係は表５に示すマッピング関係である。ここで、時間周波数リソースの数はＡ×Ｂであり、該時間周波数リソースがＡ×Ｂ個のＲＥを含み、即ち該時間周波数リソースが時間領域においてＡ個のシンボルを含み、且つ周波数領域においてＢ個のサブ搬送波を含むことを示すことに用いられる。
【０１５０】
2020518156.tif 000011
例えば、配置パラメータは送信周期「５ｍｓ」、オフセット「３」と物理リソースインジケータ「インデックスＡ」を含み、ターゲット伝送ユニットＢにおけるアップリンクシンボルの数が６であり、サブ搬送波の数が１２であり、合計６×１２個のＲＥがある。上記表５に基づき、端末はターゲット伝送ユニットＢにおけるアップリンクシンボルの数「６」に基づき、ターゲット周期的アップリンク情報／信号を送信するための時間周波数リソースの数が６×１４であることを確定する。即ち、端末はターゲット周期的アップリンク情報／信号を送信するための時間周波数リソースを６×１４個のＲＥに調整する。
【０１５１】
説明すべきものとして、表５に示すマッピング関係が例示的だけであり、端末はアップリンクシンボルの数とサブ搬送波の数とのマッピング関係を予め記憶することもできる。本実施例では、アップリンクシンボルの数と時間周波数リソースの数又はサブ搬送波の数とのマッピング関係及びマッピング関係の設定方式が限定されない。
【０１５２】
別の可能な実施形態では、端末は配置パラメータ及びターゲット伝送ユニット内のアップリンクシンボルの数に基づき、予め設定された式でターゲット周期的アップリンク情報／信号のための時間周波数リソースを計算して取得する。
【０１５３】
例えば、配置パラメータは送信周期「５ｍｓ」、オフセット「３」と物理リソースインジケータ「インデックスＡ」を含み、ターゲット伝送ユニットＢにおけるアップリンクシンボルの数が６であり、サブ搬送波の数が１２である。端末はターゲット伝送ユニットＢにおけるアップリンクシンボルの数「６」に基づき、予め設定された式で時間周波数リソースの数（対応するサブ搬送波の数が１４である）を８４として計算して取得し、即ち端末はターゲット周期的アップリンク情報／信号を送信するための時間周波数リソースＳを確定し、該時間周波数リソースＳにおけるアップリンクシンボルの数が６であり、サブ搬送波の数が１４であることを確定する。２、端末は配置パラメータに基づいて時間周波数リソースでターゲット周期的アップリンク情報／信号を送信する。
【０１５４】
例えば、端末は、５ｍｓごとに、時間周波数リソースの数が６×１４である時間周波数リソースでターゲット周期的アップリンク情報／信号を送信する。
【０１５５】
第九の周期的アップリンク情報／信号伝送方法において、
１、端末は、配置情報及び１番目の第一のタイプの伝送ユニット内のアップリンクシンボルの数に基づき、ターゲット周期的アップリンク情報／信号を送信するための時間周波数リソースを確定する。
【０１５６】
２、端末は配置パラメータに基づいて時間周波数リソースでターゲット周期的アップリンク情報／信号を送信する。
【０１５７】
理解すべきものとして、第九の伝送方法と第八の伝送方法の違いは、第８の伝送方法におけるアップリンクシンボルが「ターゲット伝送ユニット」のものであり、第９の伝送方法におけるアップリンクシンボルが「第一のタイプの伝送ユニット」のものであることにあり、関連詳細については、第八の伝送方法の関連説明を参照でき、ここで説明を省略する。
【０１５８】
理解すべきものとして、ステップ４０６に対して、アクセスネットワーク装置側は同様に上記の９つの周期的アップリンク情報／信号伝送方法に対応する９つの実施例に適用し、関連詳細については上記の９つの実施例における関連説明を参照することができ、ここで説明を省略する。
【０１５９】
説明すべきものとして、上記の各実施例に係る閾値（第一の閾値、第二の閾値、第三の閾値、第四の閾値と第五の閾値のうちのいずれか一つ）はアクセスネットワーク装置によって予め設定され又は通信プロトコルによって予め定義され、本実施例では各閾値の確定方式及び値が限定されない。
【０１６０】
また、説明すべきもとして、上記の９つの実施例についてはいずれかの２つの実施例が組合わせられて実施されてもよく、いずれか３つの実施例が組合わせられて実施されてもよく、又はｎ（ｎが正整数である）つの実施例が組合わせられてもよく、これは、上記の実施例に基づいて当業者によって容易に理解され、本発明の実施例では、これらの実施例が組合わせられて実施される方式が詳細に説明されない。以下に、一つの具体的な例示的例のみを例とし、上記の５番目の実施例と９番目の実施例が組合わせられて実施される方式を具体的に説明する。
【０１６１】
図８に示すように、端末は、ターゲット伝送ユニットＡにアップリンクシンボルが含まれないことを判定した場合、ターゲット伝送ユニットＡからの３ｍｓ内に、第一のタイプの伝送ユニットに属する伝送ユニットが存在するか否かを順次判定する。ターゲット伝送ユニットＡにアップリンクシンボルが含まれないため、端末はターゲット伝送ユニットＡが第一のタイプの伝送ユニットに属しないことを判定し、伝送ユニットＢが１つのダウンリンクシンボルと６つのアップリンクシンボルを含むため、端末は伝送ユニットＢにおけるアップリンクシンボルの数が第四の閾値「６」に等しいことに基づき、伝送ユニットＢが１番目の第一のタイプの伝送ユニットであることを確定する。端末は配置情報（送信周期「５ｍｓ」、オフセット「３」と物理リソースインジケータ「インデックスＡ」）及び伝送ユニットＢにおけるアップリンクシンボルの数「６」に基づき、予め設定された式で時間周波数リソースＳの時間周波数リソースの数を８４として計算して取得し、即ち端末はターゲット周期的アップリンク情報／信号を送信するための時間周波数リソースＳ（８４個のリソースエレメントを含む）を確定し、該時間周波数リソースＳが時間領域において６つのアップリンクシンボルを占有し、周波数領域において１４つのサブ搬送波を占有する。ここで、配置パラメータはさらに、ＣＳＩフィードバックモード「タイプ１０」、伝送モード「Ｍｏｄｅ４」を含み、したがって、端末は配置パラメータに基づき、ターゲット周期的アップリンク情報／信号を送信する必要があることを確定し、そして５ｍｓごとに閉ループ空間多重化モードに従って時間周波数リソースＳでＣＲＩ情報を送信する。
【０１６２】
上述したように、本発明の実施例では、端末はアクセスネットワーク装置から送信された配置シグナリングを受信し、該配置シグナリングに含まれる配置パラメータに基づいてターゲット伝送ユニットを確定し、そしてターゲット伝送ユニット内のアップリンクシンボルの数に基づき、ターゲット周期的アップリンク情報／信号を送信又は破棄し、これにより、ターゲット周期的アップリンク情報／信号を伝送するための伝送ユニットが動的に変化するフレーム構造を有する場合、端末はターゲット伝送ユニット内のアップリンクシンボルの数に基づき、ターゲット周期的アップリンク情報／信号を送信又は破棄するか否かを確定することができ、ターゲット周期的アップリンク情報／信号を送信する必要があることを確定した場合、該ターゲット周期的アップリンク情報／信号の伝送方式を選択し、該伝送方式に従って該ターゲット周期的アップリンク情報／信号を送信し、それによって端末が周期的アップリンク情報／信号をフィードバックする有効な確率が向上する。
【０１６３】
また、本発明の実施例では、ターゲット伝送ユニットにアップリンクシンボルが含まれなく又はアップリンクシンボルの数がゼロより大きく且つ第三の閾値より小さい場合、ターゲット伝送ユニットからの予め設定された期間内又は前記ターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信し、これにより、ターゲット伝送ユニットがターゲット周期的アップリンク情報／信号を送信できない場合、端末は、確定された１番目の第一のタイプの伝送ユニットのアップリンクシンボルでターゲット周期的アップリンク情報／信号を送信することを確定することができ、ターゲット周期的アップリンク情報／信号を送信又は破棄することを回避し、それによってアクセスネットワーク装置は端末からフィードバックされたターゲット周期的アップリンク情報／信号をタイムリーに取得することができる。
【０１６４】
また、本発明の実施例では、ターゲット伝送ユニット内のアップリンクシンボルの数がゼロより大きく且つ第五の閾値未満である場合、配置パラメータに基づいてターゲット伝送ユニットのアップリンクシンボルでターゲット周期的アップリンク情報／信号内の情報サブセットを送信し、情報サブセットがＣＲＩ情報、ＲＩ情報、ＣＱＩ情報、ブロードバンドＰＭＩ情報と第一のＰＭＩ情報のうちの少なくとも一つのサブ情報を含み、これにより、端末は依然としてアクセスネットワーク装置へターゲット周期的アップリンク情報／信号に関連する一部の情報を送信することができ、ターゲット伝送ユニット内のアップリンクシンボルの数が少なすぎるため、ターゲット周期的アップリンク情報／信号が破棄され、リソースが無駄になるという状況を回避する。
【０１６５】
以下は本発明の実施例における装置の実施例であり、装置の実施例における詳細に説明されない部分については、上記方法の実施例で開示された技術的詳細を参照することができる。
【０１６６】
図９は本発明の一つの実施例による周期的アップリンク情報／信号伝送装置の構造図である。該周期的アップリンク情報／信号伝送装置はソフトウェア、ハードウェア及び両者の組み合わせにより、端末の全部又は一部として実現されてもよい。該周期的アップリンク情報／信号伝送装置は受信ユニット９１０、確定ユニット９２０と送信ユニット９３０を備える。
【０１６７】
受信ユニット９１０は、上記ステップ４０３及び他の明示又は暗示する少なくとも一つの受信ステップの機能を実行するように構成される。
【０１６８】
確定ユニット９２０は、上記ステップ４０４及び他の明示又は暗示する少なくとも一つの確定ステップの機能を実行するように構成される。
【０１６９】
送信ユニット９３０は、上記ステップ４０６及び他の明示又は暗示する少なくとも一つの送信ステップの機能を実行するように構成される。
【０１７０】
図１０を参照し、図１０が本発明の一つの実施例による周期的アップリンク情報／信号伝送装置の構造図である。該周期的アップリンク情報／信号伝送装置はソフトウェア、ハードウェア及び両者の組み合わせにより、アクセスネットワーク装置の全部又は一部として実現されてもよい。該周期的アップリンク情報／信号伝送装置は送信ユニット１０１０、確定ユニット１０２０と受信ユニット１０３０を備える。
【０１７１】
送信ユニット１０１０は、上記ステップ４０２及び他の明示又は暗示する少なくとも一つの送信ステップの機能を実行するように構成される。
【０１７２】
確定ユニット１０２０は、上記ステップ４０５及び他の明示又は暗示する少なくとも一つの確定ステップの機能を実行するように構成される。
【０１７３】
受信ユニット１０３０は、上記ステップ４０７及び他の明示又は暗示する少なくとも一つの受信ステップの機能を実行するように構成される。
【０１７４】
本発明の実施例はさらに端末とアクセスネットワーク装置を備えることができるアップリンクデータシステムを提供する。
【０１７５】
ここで、端末は上記図９で提供される周期的アップリンク情報／信号伝送装置を含むことができ、アクセスネットワーク装置は上記図１０で提供される周期的アップリンク情報／信号伝送装置を含むことができる。
【０１７６】
又は、端末は上記図３Ａで提供される端末であってもよく、アクセスネットワーク装置は上記図３Ｂで提供されるアクセスネットワーク装置であってもよい。
【０１７７】
当業者は、上述した一つ又は複数の例において、本発明の実施例で説明された機能がハードウェア、ソフトウェア、ファームウェア又はそれらの任意の組み合わせで実施されてもよいことを理解することができる。ソフトウェアで実施される場合、これらの機能がコンピュータ可読媒体に記憶されてもよく、又はコンピュータ可読媒体における一つ又は複数の命令又はコードとして伝送されてもよい。コンピュータ可読媒体はコンピュータ記憶媒体と通信媒体を含み、ここで通信媒体が一つの箇所から別の個所へのコンピュータプログラムの伝送を容易にする任意の媒体を含む。記憶媒体は汎用又は専用コンピュータにアクセスされることができる任意の利用可能な媒体であってもよい。
【０１７８】
上記は本発明の好ましい実施例に過ぎず、本発明を限定するためのものではなく、本発明の精神及び原則から逸脱することなく行われるあらゆる変更、同等置き換え、改良などは、いずれも本発明の保護範囲内に含まれるべきである。
【図１】
2020518156.tif 000012
【図２】
2020518156.tif 000013
【図３Ａ】
2020518156.tif 000014
【図３Ｂ】
2020518156.tif 000015
【図４】
2020518156.tif 000016
【図５】
2020518156.tif 000017
【図６】
2020518156.tif 000018
【図７】
2020518156.tif 000019
【図８】
2020518156.tif 000020
【図９】
2020518156.tif 000021
【図１０】
2020518156.tif 000022
【手続補正書】
【提出日】令和2年3月23日(2020.3.23)
【手続補正１】
【補正対象書類名】明細書
【補正対象項目名】全文
【補正方法】変更
【補正の内容】
【発明の詳細な説明】
【技術分野】
【０００１】
本発明の実施例は通信分野に関し、特に周期的アップリンク情報／信号伝送方法、装置及びシステムに関する。
【背景技術】
【０００２】
アップリンク情報がチャネル状態情報（ＣＳＩ：Ｃｈａｎｎｅｌ  Ｓｔａｔｅ  Ｉｎｆｏｒｍａｔｉｏｎ）及び／又は半永続的にスケジューリング（Ｓｅｍｉ  ｐｅｒｓｉｓｔｅｎｔ  ｓｃｈｅｄｕｌｉｎｇ）されたアップリンクデータを含み、アップリンク信号がサウンディング参照信号（ＳＲＳ：Ｓｏｕｎｄｉｎｇ  Ｒｅｆｅｒｅｎｃｅ  Ｓｉｇｎａｌ）を含む。ここで、ＣＳＩは端末から基地局に伝送されるアップリンクチャンのチャネル状態情報であり、端末のアップリンクチャネルのチャネル状態を示すことに用いられる。レポートの報告方式によって、ＣＳＩが周期的ＣＳＩと非周期的ＣＳＩという２つのタイプを含む。以下、アップリンク情報／信号が周期的ＣＳＩを含むことのみを例として説明する。
【０００３】
長期進化技術（ＬＴＥ：Ｌｏｎｇ  Ｔｅｒｍ  Ｅｖｏｌｕｔｉｏｎ）システムでは、端末が基地局に周期的ＣＳＩを送信するプロセスは、基地局が端末にチャネル状態情報基準信号（ＣＳＩ−ＲＳ：Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を送信するステップと、それに対応して、端末が受信されたＣＳＩ−ＲＳに基づいてアップリンクチャネルのＣＳＩを測定し、予め設定された周期に従って、アップリンクチャネル内のアップリンクリソースを用いて基地局へ該ＣＳＩを送信するステップとを含む。
【０００４】
第五世代移動通信技術（５Ｇ：Ｔｈｅ  ５ｔｈ  Ｇｅｎｅｒａｔｉｏｎ  Ｍｏｂｉｌｅ  Ｃｏｍｍｕｎｉｃａｔｉｏｎ）システムは柔軟なフレーム構造をサポートし、柔軟なフレーム構造とは、各サブフレームの伝送方向、各サブフレーム内のアップリンクリソース又はダウンリンクリソースが動的に確定されることが可能であるフレーム構造である。柔軟なフレーム構造を有する通信システムでは、各サブフレーム内のアップリンクリソース又はダウンリンクリソースが固定されるものではないため、端末は、アクセスネットワーク装置によって予め配置されたアップリンクリソース又はプロトコルによって定められたアップリンクリソースを用いてＣＳＩを伝送することができなくなる。したがって、ＬＴＥにおける周期的ＣＳＩの伝送方式は柔軟なフレーム構造を有する通信システムに適合しなくなる。
【発明の概要】
【発明が解決しようとする課題】
【０００５】
関連技術において各サブフレーム内のアップリンクリソース又はダウンリンクリソースが固定されるものではないため、端末がアクセスネットワーク装置によって予め配置されたアップリンクリソース又はプロトコルによって定められたアップリンクリソースを用いて周期的アップリンク情報／信号を伝送することができないという問題を解決するために、本発明の実施例は周期的アップリンク情報／信号伝送方法、装置及びシステムを提供する。前記技術的解決策は以下のとおりである。
【課題を解決するための手段】
【０００６】
本発明の第一の態様による周期的アップリンク情報／信号伝送方法は、
アクセスネットワーク装置から送信された配置シグナリングを受信し、配置シグナリングに周期的アップリンク情報／信号の配置パラメータが含まれることと、
配置パラメータに基づいてターゲット伝送ユニットを確定することと、
ターゲット伝送ユニット内のアップリンクシンボルの数に基づき、ターゲット周期的アップリンク情報／信号を送信又は破棄することとを含む。
【０００７】
一つの選択可能な実施形態では、周期的アップリンク情報／信号は、
周期的チャネル状態情報（ＣＳＩ）、又は、
周期的チャネルサウンディング基準信号（ＳＲＳ）、又は、
半永続的にスケジューリングされたアップリンクデータを含む。
【０００８】
別の選択可能な実施形態では、配置パラメータは、送信周期、オフセット、ＣＳＩフィードバックモード、伝送モードと物理リソースインジケータのうちの少なくとも一つを含む。
【０００９】
別の選択可能な実施形態では、ターゲット伝送ユニット内のアップリンクシンボルの数に基づき、ターゲット周期的アップリンク情報／信号を送信又は破棄することは、
ターゲット伝送ユニットが通常のアップリンクサブフレーム又は通常のアップリンクタイムスロットである場合、配置パラメータに基づいてターゲット伝送ユニットでターゲット周期的アップリンク情報／信号を送信すること、又は、
ターゲット伝送ユニット内のアップリンクシンボルの数が第一の閾値以上である場合、配置パラメータに基づいてターゲット伝送ユニットでターゲット周期的アップリンク情報／信号を送信することを含む。
【００１０】
別の選択可能な実施形態では、ターゲット伝送ユニット内のアップリンクシンボルの数に基づき、ターゲット周期的アップリンク情報／信号を送信又は破棄することは、
ターゲット伝送ユニットにアップリンクシンボルが含まれない場合、ターゲット周期的アップリンク情報／信号を破棄すること、又は、
ターゲット伝送ユニット内のアップリンクシンボルの数がゼロより大きく且つ第二の閾値未満である場合、ターゲット周期的アップリンク情報／信号を破棄することを含む。
【００１１】
別の選択可能な実施形態では、ターゲット伝送ユニット内のアップリンクシンボルの数に基づき、ターゲット周期的アップリンク情報／信号を送信又は破棄することは、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信すること、又は、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信することを含む。
【００１２】
別の選択可能な実施形態では、第一のタイプの伝送ユニットは、通常のアップリンクサブフレーム、通常のアップリンクタイムスロット、アップリンクシンボルの数が第四の閾値より大きい伝送ユニット、アップリンクシンボルの数が第四の閾値に等しい伝送ユニットのうちのいずれか一つを含む。
【００１３】
別の選択可能な実施形態では、ターゲット伝送ユニット内のアップリンクシンボルの数に基づき、ターゲット周期的アップリンク情報／信号を送信又は破棄することは、
ターゲット伝送ユニット内のアップリンクシンボルの数がゼロより大きく且つ第五の閾値未満である場合、配置パラメータに基づいてターゲット伝送ユニットのアップリンクシンボルでターゲット周期的アップリンク情報／信号内の情報サブセットを送信することを含む。
【００１４】
別の選択可能な実施形態では、周期的アップリンク情報／信号が周期的ＣＳＩを含む場合、情報サブセットは、
チャネル状態情報基準信号リソースインジケーター（ＣＲＩ：ＣＳＩ−ＲＳ  ｒｅｓｏｕｒｃｅ  ｉｎｄｉｃａｔｏｒ）情報、
ランクインジケーター（ＲＩ：Ｒａｎｋ  Ｉｎｄｉｃａｔｏｒ）情報、
チャネル品質インジケータ（ＣＱＩ：Ｃｈａｎｎｅｌ  Ｑｕａｌｉｔｙ  Ｉｎｄｉｃａｔｏｒ）情報、
プリコーディングマトリックスインジケーター（ＰＭＩ：Ｐｒｅ−ｃｏｄｉｎｇ  Ｍａｔｒｉｘ  Ｉｎｄｉｃａｔｏｒ）情報、
第一のＰＭＩ情報のうちの少なくとも一つのサブ情報を含む。
【００１５】
別の選択可能な実施形態では、ターゲット伝送ユニット内のアップリンクシンボルの数に基づき、ターゲット周期的アップリンク情報／信号を送信又は破棄することは、
配置パラメータ及びターゲット伝送ユニット内のアップリンクシンボルの数に基づき、ターゲット周期的アップリンク情報／信号を送信するための時間周波数リソースを確定することと、
配置パラメータに基づいて時間周波数リソースでターゲット周期的アップリンク情報／信号を送信することとを含む。
【００１６】
別の選択可能な実施形態では、ターゲット伝送ユニット内のアップリンクシンボルの数に基づき、ターゲット周期的アップリンク情報／信号を送信又は破棄することは、
配置情報及び１番目の第一のタイプの伝送ユニット内のアップリンクシンボルの数に基づき、ターゲット周期的アップリンク情報／信号を送信するための時間周波数リソースを確定することと、
配置パラメータに基づいて時間周波数リソースでターゲット周期的アップリンク情報／信号を送信することとを含む。
【００１７】
本発明の第二の態様によれる周期的アップリンク情報／信号伝送方法は、
端末へ配置シグナリングを送信し、配置シグナリングに周期的アップリンク情報／信号の配置パラメータが含まれることと、
配置パラメータに基づいてターゲット伝送ユニットを確定することと、
ターゲット伝送ユニット内のアップリンクシンボルの数に基づき、ターゲット周期的アップリンク情報／信号を受信し、又は受信しないこととを含む。
【００１８】
一つの選択可能な実施形態では、周期的アップリンク情報／信号は、
周期的ＣＳＩ、又は、
ＳＲＳ、又は、
半永続的にスケジューリングされたアップリンクデータを含む。
【００１９】
別の選択可能な実施形態では、配置パラメータは、送信周期、オフセット、ＣＳＩフィードバックモード、伝送モードと物理リソースインジケータのうちの少なくとも一つを含む。
【００２０】
別の選択可能な実施形態では、ターゲット伝送ユニット内のアップリンクシンボルの数に基づき、ターゲット周期的アップリンク情報／信号を受信し、又は受信しないことは、
ターゲット伝送ユニットが通常のアップリンクサブフレーム又は通常のアップリンクタイムスロットである場合、端末が配置パラメータに基づいてターゲット伝送ユニットで送信したターゲット周期的アップリンク情報／信号を受信すること、又は、
ターゲット伝送ユニット内のアップリンクシンボルの数が第一の閾値以上である場合、端末が配置パラメータに基づいてターゲット伝送ユニットで送信したターゲット周期的アップリンク情報／信号を受信することを含む。
【００２１】
別の選択可能な実施形態では、ターゲット伝送ユニット内のアップリンクシンボルの数に基づき、ターゲット周期的アップリンク情報／信号を受信し、又は受信しないことは、
ターゲット伝送ユニットにアップリンクシンボルが含まれない場合、ターゲット周期的アップリンク情報／信号を受信しないこと、又は、
ターゲット伝送ユニット内のアップリンクシンボルの数がゼロより大きく且つ第二の閾値未満である場合、ターゲット周期的アップリンク情報／信号を受信しないことを含む。
【００２２】
別の選択可能な実施形態では、ターゲット伝送ユニット内のアップリンクシンボルの数に基づき、ターゲット周期的アップリンク情報／信号を受信し、又は受信しないことは、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルで送信したターゲット周期的アップリンク情報／信号を受信すること、又は、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルで送信したターゲット周期的アップリンク情報／信号を受信することを含む。
【００２３】
別の選択可能な実施形態では、第一のタイプの伝送ユニットは、通常のアップリンクサブフレーム、通常のアップリンクタイムスロット、アップリンクシンボルの数が第四の閾値より大きい伝送ユニット、アップリンクシンボルの数が第四の閾値に等しい伝送ユニットのうちのいずれか一つを含む。
【００２４】
別の選択可能な実施形態では、ターゲット伝送ユニット内のアップリンクシンボルの数に基づき、ターゲット周期的アップリンク情報／信号を受信し、又は受信しないことは、
ターゲット伝送ユニット内のアップリンクシンボルの数がゼロより大きく且つ第五の閾値未満である場合、端末が配置パラメータに基づいてターゲット伝送ユニットのアップリンクシンボルで送信したターゲット周期的アップリンク情報／信号内の情報サブセットを受信することを含む。
【００２５】
別の選択可能な実施形態では、周期的アップリンク情報／信号が周期的ＣＳＩを含む場合、情報サブセットは、
ＣＲＩ情報、
ＲＩ情報、
ブロードバンドＣＱＩ情報、
ブロードバンドＰＭＩ情報、
第一のＰＭＩ情報のうちの少なくとも一つのサブ情報を含む。
【００２６】
別の選択可能な実施形態では、ターゲット伝送ユニット内のアップリンクシンボルの数に基づき、ターゲット周期的アップリンク情報／信号を受信し、又は受信しないことは、
配置パラメータ及びターゲット伝送ユニット内のアップリンクシンボルの数に基づき、ターゲット周期的アップリンク情報／信号を送信するための時間周波数リソースを確定することと、
端末が配置パラメータに基づいて時間周波数リソースで送信したターゲット周期的アップリンク情報／信号を受信することとを含む。
【００２７】
別の選択可能な実施形態では、ターゲット伝送ユニット内のアップリンクシンボルの数に基づき、ターゲット周期的アップリンク情報／信号を受信し、又は受信しないことは、
配置情報及び１番目の第一のタイプの伝送ユニット内のアップリンクシンボルの数に基づき、ターゲット周期的アップリンク情報／信号を送信するための時間周波数リソースを確定することと、
端末が配置パラメータに基づいて時間周波数リソースで送信したターゲット周期的アップリンク情報／信号を受信することとを含む。
【００２８】
本発明の第三の態様による周期的アップリンク情報／信号伝送装置は、上記第一の態様又は第一の態様におけるいずれかの選択可能な実施形態で提供される周期的アップリンク情報／信号伝送方法を実行するための少なくとも一つのユニットを備える。
【００２９】
本発明の第四の態様による周期的アップリンク情報／信号伝送装置は、上記第二の態様又は第二の態様におけるいずれかの選択可能な実施形態で提供される周期的アップリンク情報／信号伝送方法を実行するための少なくとも一つのユニットを備える。
【００３０】
本発明の第五の態様による端末は、プロセッサ、メモリ、送信機と受信機を備える。
【００３１】
メモリは、プロセッサによって実行されるように示されている一つ又は一つ以上の命令を記憶するように構成される。
【００３２】
プロセッサは、アクセスネットワーク装置から送信された配置シグナリングを受信機を介して受信するように構成され、配置シグナリングに周期的アップリンク情報／信号の配置パラメータが含まれる。
【００３３】
プロセッサはさらに配置パラメータに基づいてターゲット伝送ユニットを確定するように構成される。
【００３４】
プロセッサは、さらにターゲット伝送ユニット内のアップリンクシンボルの数に基づき、ターゲット周期的アップリンク情報／信号を送信機を介して送信又は破棄するように構成される。
【００３５】
一つの選択可能な実施形態では、プロセッサはさらに、
ターゲット伝送ユニットが通常のアップリンクサブフレーム又は通常のアップリンクタイムスロットである場合、送信機によって配置パラメータに基づいてターゲット伝送ユニットでターゲット周期的アップリンク情報／信号を送信するように構成され、又は、
ターゲット伝送ユニット内のアップリンクシンボルの数が第一の閾値以上である場合、送信機によって配置パラメータに基づいてターゲット伝送ユニットでターゲット周期的アップリンク情報／信号を送信するように構成される。
【００３６】
別の選択可能な実施形態では、プロセッサはさらに、
ターゲット伝送ユニットにアップリンクシンボルが含まれない場合、送信機によってターゲット周期的アップリンク情報／信号を破棄するように構成され、又は、
ターゲット伝送ユニット内のアップリンクシンボルの数がゼロより大きく且つ第二の閾値未満である場合、送信機によってターゲット周期的アップリンク情報／信号を破棄するように構成される。
【００３７】
別の選択可能な実施形態では、プロセッサはさらに、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、送信機によって配置パラメータに基づいて１番目の第一のタイプの伝送ユニットのアップリンクシンボルでターゲット周期的アップリンク情報／信号を送信するように構成され、又は、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、送信機によって配置パラメータに基づいて１番目の第一のタイプの伝送ユニットのアップリンクシンボルでターゲット周期的アップリンク情報／信号を送信するように構成される。
【００３８】
別の選択可能な実施形態では、プロセッサはさらに、
ターゲット伝送ユニット内のアップリンクシンボルの数がゼロより大きく且つ第五の閾値未満である場合、送信機によって配置パラメータに基づいてターゲット伝送ユニットのアップリンクシンボルでターゲット周期的アップリンク情報／信号内の情報サブセットを送信するように構成される。
【００３９】
別の選択可能な実施形態では、プロセッサはさらに、
配置パラメータ及びターゲット伝送ユニット内のアップリンクシンボルの数に基づき、ターゲット周期的アップリンク情報／信号を送信するための時間周波数リソースを確定し、
送信機によって配置パラメータに基づいて時間周波数リソースでターゲット周期的アップリンク情報／信号を送信するように構成される。
【００４０】
別の選択可能な実施形態では、プロセッサはさらに、
配置情報及び１番目の第一のタイプの伝送ユニット内のアップリンクシンボルの数に基づき、ターゲット周期的アップリンク情報／信号を送信するための時間周波数リソースを確定し、
送信機によって配置パラメータに基づいて時間周波数リソースでターゲット周期的アップリンク情報／信号を送信するように構成される。
【００４１】
本発明の第六の態様によるアクセスネットワーク装置は、プロセッサ、メモリ、送信機と受信機を備える。
【００４２】
メモリは、プロセッサによって実行されるように示されている一つ又は一つ以上の命令を記憶するように構成される。
【００４３】
プロセッサは、送信機を介して端末へ配置シグナリングを送信するように構成され、配置シグナリングに周期的アップリンク情報／信号の配置パラメータが含まれる。
【００４４】
プロセッサはさらに配置パラメータに基づいてターゲット伝送ユニットを確定するように構成される。
【００４５】
プロセッサは、さらにターゲット伝送ユニット内のアップリンクシンボルの数に基づき、ターゲット周期的アップリンク情報／信号を受信機を介して受信し、又は受信しないように構成される。
【００４６】
一つの選択可能な実施形態では、プロセッサはさらに、
ターゲット伝送ユニットが通常のアップリンクサブフレーム又は通常のアップリンクタイムスロットである場合、端末が配置パラメータに基づいてターゲット伝送ユニットで送信したターゲット周期的アップリンク情報／信号を受信機を介して受信するように構成され、又は、
ターゲット伝送ユニット内のアップリンクシンボルの数が第一の閾値以上である場合、端末が配置パラメータに基づいてターゲット伝送ユニットで送信したターゲット周期的アップリンク情報／信号を受信機を介して受信するように構成される。
【００４７】
別の選択可能な実施形態では、プロセッサはさらに、
ターゲット伝送ユニットにアップリンクシンボルが含まれない場合、ターゲット周期的アップリンク情報／信号を受信機を介して受信しないように構成され、又は、
ターゲット伝送ユニット内のアップリンクシンボルの数がゼロより大きく且つ第二の閾値未満である場合、ターゲット周期的アップリンク情報／信号を受信機を介して受信しないように構成される。
【００４８】
別の選択可能な実施形態では、プロセッサはさらに、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルで送信したターゲット周期的アップリンク情報／信号を受信機を介して受信するように構成され、又は、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルで送信したターゲット周期的アップリンク情報／信号を受信機を介して受信するように構成される。
【００４９】
別の選択可能な実施形態では、プロセッサはさらに、
ターゲット伝送ユニット内のアップリンクシンボルの数がゼロより大きく且つ第五の閾値未満である場合、端末が配置パラメータに基づいてターゲット伝送ユニットのアップリンクシンボルで送信したターゲット周期的アップリンク情報／信号内の情報サブセットを受信機を介して受信するように構成される。
【００５０】
別の選択可能な実施形態では、プロセッサはさらに、
配置パラメータ及びターゲット伝送ユニット内のアップリンクシンボルの数に基づき、ターゲット周期的アップリンク情報／信号を送信するための時間周波数リソースを確定し、
端末が配置パラメータに基づいて時間周波数リソースで送信したターゲット周期的アップリンク情報／信号を受信機を介して受信するように構成される。
【００５１】
別の選択可能な実施形態では、プロセッサはさらに、
配置情報及び１番目の第一のタイプの伝送ユニット内のアップリンクシンボルの数に基づき、ターゲット周期的アップリンク情報／信号を送信するための時間周波数リソースを確定し、
端末が配置パラメータに基づいて時間周波数リソースで送信したターゲット周期的アップリンク情報／信号を受信機を介して受信するように構成される。
【００５２】
本発明の第七の態様によるコンピュータ可読媒体は、上記第一の態様又は第一の態様におけるいずれかの選択可能な実施形態で提供される周期的アップリンク情報／信号伝送方法を実行するための一つ又は一つ以上の命令を記憶する。
【００５３】
本発明の第八の態様によるコンピュータ可読媒体は、上記第二の態様又は第二の態様におけるいずれかの選択可能な実施形態で提供される周期的アップリンク情報／信号伝送方法を実行するための一つ又は一つ以上の命令を記憶する。
【００５４】
本発明の第九の態様による周期的アップリンク情報／信号伝送システムは、上記第三の態様又は第三の態様におけるいずれかの選択可能な実施形態で提供される周期的アップリンク情報／信号伝送装置を含む端末と、上記第四の態様又は第四の態様におけるいずれかの選択可能な実施形態で提供される周期的アップリンク情報／信号伝送装置を含むアクセスネットワーク装置とを備える。
【００５５】
本発明の第十の態様による周期的アップリンク情報／信号伝送システムは、上記第五の態様又は第五の態様におけるいずれかの選択可能な実施形態で提供される端末と、上記第六の態様又は第六の態様におけるいずれかの選択可能な実施形態で提供されるアクセスネットワーク装置とを備える。
【発明の効果】
【００５６】
本発明の実施例によって提供される技術的解決策の有益な効果は以下のとおりである。
【００５７】
端末はアクセスネットワーク装置から送信された配置シグナリングを受信し、該配置シグナリングに含まれる配置パラメータに基づいてターゲット伝送ユニットを確定し、そしてターゲット伝送ユニット内のアップリンクシンボルの数に基づき、ターゲット周期的アップリンク情報／信号を送信又は破棄し、これにより、ターゲット周期的アップリンク情報／信号を伝送するための伝送ユニットが動的に変化するフレーム構造を有する場合、端末はターゲット伝送ユニット内のアップリンクシンボルの数に基づき、ターゲット周期的アップリンク情報／信号を送信又は破棄するか否かを確定することができ、ターゲット周期的アップリンク情報／信号を送信する必要があることを確定した場合、該ターゲット周期的アップリンク情報／信号の伝送方式を選択し、該伝送方式に従って該ターゲット周期的アップリンク情報／信号を送信し、それによって端末が周期的アップリンク情報／信号をフィードバックする有効な確率が向上する。
【図面の簡単な説明】
【００５８】
【図１】関連技術におけるフレーム構造タイプ２を示す図である。
【図２】本発明の一つの例示的な実施例による移動通信システムの構造図である。
【図３Ａ】本発明の一つの例示的な実施例による端末の構造図である。
【図３Ｂ】本発明の一つの例示的な実施例によるアクセスネットワーク装置の構造図である。
【図４】本発明の一つの例示的な実施例による周期的アップリンク情報／信号伝送方法のフローチャートである。
【図５】本発明の別の実施例による第一の周期的アップリンク情報／信号伝送方法に関するターゲット伝送ユニットを示す図である。
【図６】本発明の別の実施例による第二の周期的アップリンク情報／信号伝送方法に関するターゲット伝送ユニットを示す図である。
【図７】本発明の別の実施例による第五の周期的アップリンク情報／信号伝送方法に関するターゲット伝送ユニットを示す図である。
【図８】本発明の別の実施例による周期的アップリンク情報／信号伝送方法に関する原理を示す図である。
【図９】本発明の一つの実施例による周期的アップリンク情報／信号伝送装置の構造図である。
【図１０】本発明の別の実施例による周期的アップリンク情報／信号伝送装置の構造図である。
【発明を実施するための形態】
【００５９】
本発明の実施例における技術的解決策をより明確に説明するために、以下に実施例の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００６０】
本発明の目的、技術的解決策と利点をより明確にするために、以下に図面と組み合わせて本発明の実施形態をさらに詳しく説明する。
【００６１】
本明細書に言及される「第一」、「第二」及び類似の単語はいかなる順序、数量又は重要性を表すものではなく、異なる構成部分を区別するために用いられる。同様に、「一つ」又は「一」などの類似の単語も数量制限を表すものではなく、少なくとも一つ存在することを示す。「接続」又は「相連」などの類似の単語は物理的又は機械的な接続に限定されなく、直接又は間接に関わらず、電気的接続を含むことができる。
【００６２】
本明細書で言及される「モジュール」は一般的にメモリに記憶された、いくつかの機能を実行できるプログラム又は命令を指し、本明細書で言及される「ユニット」は一般的に論理的に分けられる機能構造を指し、該「ユニット」は純粋なハードウェア、又は、ソフトウェアとハードウェアの組み合わせで実現されてもよい。
【００６３】
本明細書で言及される「複数」は２つ又は２つ以上を意味する。「及び／又は」は、関連するオブジェクトの関連関係を記述するためのものであり、３種類の関係が存在してもよいことを示し、Ａ及び／又はＢは、Ａが単独で存在すること、ＡとＢが同時に存在すること、Ｂが単独で存在することの３つの状況を示すことができる。文字「／」は、一般的に前後にある関連オブジェクトが「又は」の関係であることを示す。
【００６４】
関連技術において、ＬＴＥ／ＬＴＥ−Ａのフレーム構造のタイプがフレーム構造タイプ１とフレーム構造タイプ２を含む。フレーム構造タイプ１は全二重及び半二重周波数分割二重（ＦＤＤ：Ｆｒｅｑｕｅｎｃｙ  Ｄｉｖｉｓｉｏｎ  Ｄｕｐｌｅｘ）に用いられる。フレーム構造タイプ２は時分割二重（ＴＤＤ：Ｆｒｅｑｕｅｎｃｙ  Ｄｉｖｉｓｉｏｎ  Ｄｕｐｌｅｘ）に用いられる。
【００６５】
図１はフレーム構造タイプ２を示す図である。一つの１０ｍｓの無線フレームが２つの５ｍｓ長さの半分フレームから構成され、各半分フレームが５つの１ｍｓ長さのサブフレームから構成され、５つのサブフレームが４つの一般的なサブフレームと一つの特殊なサブフレーム（ダウンリンク／アップリンクハンドオーバに必要な保護時間を提供することに用いられる）を含む。ここで一般的なサブフレームが２つの０．５ｍｓのタイムスロットから構成され、特殊サブフレームがＤｗｐドメイン、保護タイムスロット（ＧＰ：ｇｕａｒｄ  ｐｅｒｉｏｄ）ドメインとアップリンクパイロットタイムスロット（ＵｐＰＴＳ）ドメインという３つのドメインを含む。フレーム構造タイプ２のアップリンク及びダウンリンク配置が表１に示され、ここでＵがアップリンクサブフレームを表し、Ｄがダウンリンクサブフレームを表し、Ｓが特殊なサブフレームを表す。
【表１】
2020518156.tif 000023
【００６６】
これから分かるように、ＬＴＥ／ＬＴＥ−Ａシステムでの各サブフレームの伝送方向（アップリンク又はダウンリンク）及び各サブフレームにおけるアップリンクリソース又はダウンリンクリソースの数が固定される。５Ｇシステムでは、ＬＴＥシステムのための固定されたフレーム構造とは異なり、５Ｇシステムにおいて、柔軟に配置されたフレーム構造を用いることができる。
【００６７】
選択可能に、５Ｇシステムでは、時間周波数リソースは異なる可変伝送時間間隔（ＴＴＩ：Ｔｒａｎｓｍｉｓｓｉｏｎ  Ｔｉｍｅ  Ｉｎｔｅｒｖａｌ）に従って分割されてもよい。選択可能に、ＴＴＩが１ｍｓ、０．５ｍｓ、０．０６ｍｓなどである。各ＴＴＩがシンボル（ｓｙｍｂｏｌ）、シンボルグループ（ｓｙｍｂｏｌ  ｇｒｏｕｐ）、タイムスロット（ｓｌｏｔ）又はサブフレーム（ｓｕｂｆｒａｍｅ）に従って分割されてもよく、例えば、１つのＴＴＩが２つのタイムスロットに分割され、一つのＴＴＩが１４つのシンボルに分割され、さらには一つのＴＴＩが４つのシンボル又は３つのシンボル又は２つのシンボルに分割されることなどがある。柔軟なフレーム構造を有する通信システムでは、各サブフレームにおけるアップリンクリソース又はダウンリンクリソースが固定されないため、端末１４０はアクセスネットワーク装置１２０によって予め配置されたアップリンクリソース又はプロトコルによって定められたアップリンクリソースを用いて周期的アップリンク情報／信号を伝送することができない。したがって、ＬＴＥにおける周期的アップリンク情報／信号伝送方式は柔軟なフレーム構造を有する通信システムに適合しない。
【００６８】
この技術的問題に基づき、本発明は周期的アップリンク情報／信号伝送方法、装置及びシステムを提供する。以下の図２〜図８で提供される実施例を参照する。
【００６９】
まず本発明の実施例に係るいくつかの名詞を説明する。
【００７０】
１、周期的アップリンク情報／信号は、端末が予め設定された時間周期に従ってアップリンクリソースでアクセスネットワーク装置に送信するアップリンク情報／信号である。ここで、周期的アップリンク情報は物理アップリンク制御チャネル（ＰＵＣＣＨ）で伝送されてもよいし、物理アップリンク共有チャネル（ＰＵＳＣＨ）でデータと多重化して伝送されてもよい。周期的アップリンク情報が周期的ＣＳＩ又は半静的にスケジューリングされたアップリンクデータを含み、周期アップリンク信号がＳＲＳを含む。
【００７１】
２、周期的ＣＳＩは、端末が予め設定された時間周期に従ってアクセスネットワーク装置側に送信するアップリンクチャネルのチャネル状態情報であり、端末のアップリンクチャネルのチャネル状態を示すことに用いられる。選択可能に、周期的ＣＳＩはＣＲＩ情報、ＲＩ情報、ブロードバンドＣＱＩ情報、ブロードバンドＰＭＩ情報と第一のＰＭＩ情報のうちの少なくとも一つのサブ情報を含む。選択可能に、周期的ＣＳＩはさらにサブバンドＣＲＩ情報、第二のＰＭＩ情報とＰＴＩ情報のうちの少なくとも一つを含む。
【００７２】
３、ターゲット周期的アップリンク情報／信号は端末が今回送信する周期的アップリンク情報／信号、又は直近に送信する必要がある周期的アップリンク情報／信号である。
【００７３】
４、周期的アップリンク情報／信号の配置パラメータは周期的アップリンク情報／信号伝送方式を設定するための情報であり、一般的に送信周期、オフセット、ＣＳＩフィードバックモード、伝送モードと物理リソースインジケータのうちの少なくとも一つを含む。ここで、送信周期は端末がアクセスネットワーク装置に周期的アップリンク情報／信号を伝送する時間周期を示すことに用いられ、オフセットは無線フレームにおけるターゲット伝送ユニットのオフセット位置を示すことに用いられ、フィードバックモードは端末がアクセスネットワーク装置に周期ＣＳＩを伝送するモードタイプを示すことに用いられ、物理リソースインジケータはターゲット伝送ユニットの時間領域リソース、周波数領域リソースとコードドメインのうちの少なくとも一つを示すことに用いられる。
【００７４】
５、ターゲット伝送ユニットは、初期確定された、ターゲット周期的アップリンク情報／信号を伝送するための伝送ユニットである。ターゲット伝送ユニットは、必ずしもターゲット周期的アップリンク情報／信号を伝送するための伝送ユニットとして最終的に確定されない。選択可能に、ターゲット伝送ユニットはサブフレーム又はタイムスロットである。
【００７５】
６、アップリンクシンボルの数はターゲット伝送ユニットの時間領域におけるアップリンクシンボルの数である。選択可能に、ターゲット伝送ユニットが通常のアップリンクサブフレーム又は通常のアップリンクタイムスロットである場合、アップリンクシンボルの数は７である。
【００７６】
説明すべきものとして、本発明の実施例に係る一部の関連名詞について３ＧＰＰプロトコルのＴＳ  ３６．２１３中の７．２節における対応する関連説明を参照することができ、例えば、周期的ＣＳＩ、ＣＲＩ情報、ＲＩ情報、ブロードバンドＣＱＩ情報、ブロードバンドＰＭＩ情報と第一のＰＭＩ情報であり、本明細書で説明を省略する。
【００７７】
図２を参照し、それが本発明の一つの例示的な実施例による移動通信システムの構造図である。移動通信システムはＬＴＥシステムであってもよいし、ＬＴＥ−Ａシステムであってもよいし、また５Ｇシステムであってもよく、５Ｇシステムが新しいエアインタフェース（ＮＲ：Ｎｅｗ  Ｒａｄｉｏ）システムとも呼ばれ、本実施例で限定されない。該移動通信システムはアクセスネットワーク装置１２０と端末１４０を備える。
【００７８】
アクセスネットワーク装置１２０は基地局であってもよく、該基地局が受信された無線フレームとＩＰパケットメッセージを相互に変換することに用いられてもよく、またエアインターフェイスに対する属性管理を協調することもできる。例えば、基地局はＬＴＥにおける進化型基地局（ｅＮＢ又はｅ−ＮｏｄｅＢ：ｅｖｏｌｕｔｉｏｎａｌ  Ｎｏｄｅ  Ｂ）、又は、５Ｇシステムにおける集中分散型アーキテクチャを用いた基地局であってもよい。アクセスネットワーク装置１２０は集中分散型アーキテクチャを用いる場合、一般的に集中ユニット（ＣＵ：ｃｅｎｔｒａｌ  ｕｎｉｔ）と少なくとも２つの分散ユニット（ＤＵ：ｄｉｓｔｒｉｂｕｔｅｄ  ｕｎｉｔ）を含む。集中ユニットにパケットデータ収束プロトコル（ＰＤＣＰ：Ｐａｃｋｅｔ  Ｄａｔａ  Ｃｏｎｖｅｒｇｅｎｃｅ  Ｐｒｏｔｏｃｏｌ）層、無線リンク層制御プロトコル（ＲＬＣ：Ｒａｄｉｏ  Ｌｉｎｋ  Ｃｏｎｔｒｏｌ）層、メディアアクセス制御（ＭＡＣ：Ｍｅｄｉａ  Ａｃｃｅｓｓ  Ｃｏｎｔｒｏｌ）層のプロトコルスタックが設定され、分散ユニットに物理層（Ｐｈｙｓｉｃａｌ、ＰＨＹ）のプロトコルスタックが設定され、本発明の実施例ではアクセスネットワーク装置１２０の具体的な実施形態が限定されない。選択可能に、アクセスネットワーク装置はさらにホーム基地局（ＨｅＮＢ：Ｈｏｍｅ  ｅＮＢ）、中継（Ｒｅｌａｙ）、ピコ基地局（Ｐｉｃｏ）などを含むことができる。
【００７９】
アクセスネットワーク装置１２０と端末１４０は無線エアインタフェースを介して無線接続を確立する。選択可能に、該無線エアインタフェースは５Ｇ基準に基づく無線エアインタフェースであり、例えば該無線エアインタフェースは新しいエアインタフェース（ＮＲ：Ｎｅｗ  Ｒａｄｉｏ）であり、又は、該無線エアインタフェースは５Ｇの次世代の移動通信ネットワーク技術基準に基づく無線エアインタフェースであってもよく、又は、該無線エアインタフェースも４Ｇ基準（ＬＴＥシステム）に基づく無線エアインタフェースであってもよい。アクセスネットワーク装置１２０は端末１４０から送信されたアップリンクデータを無線接続により受信することができる。
【００８０】
端末１４０はアクセスネットワーク装置１２０とデータ通信を行う装置であってもよい。端末１４０は無線アクセスネットワーク（ＲＡＮ：Ｒａｄｉｏ  Ａｃｃｅｓｓ  Ｎｅｔｗｏｒｋ）を介して一つ又は複数のコアネットワークと通信を行うことができ、端末１４０は移動端末例えば移動電話（又は「セルラー」電話と呼ばれる）と、移動端末を備えたコンピュータであってもよく、例えば、ポータブル型、ポケット型、ハンドヘルド型、コンピュータ内蔵型又は車載移動装置であってもよい。例えば、それは、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動ステーション（Ｍｏｂｉｌｅ  Ｓｔａｔｉｏｎ）、移動局、遠隔ステーション（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ装置（Ｕｓｅｒ  Ｔｅｒｍｉｎａｌ）、ユーザエージェント（Ｕｓｅｒ  Ａｇｅｎｔ）、端末（Ｕｓｅｒ  Ｄｅｖｉｃｅ）、又はユーザ端末（ＵＥ：Ｕｓｅｒ  Ｅｑｕｉｐｍｅｎｔ）である。選択可能に、端末１４０はさらに中継（Ｒｅｌａｙ）装置であってもよく、本実施例において限定されない。端末１４０はアクセスネットワーク装置１２０との無線接続により、アクセスネットワーク装置１２０へアップリンクデータを送信することができる。
【００８１】
選択可能に、アクセスネットワーク装置１２０は端末１４０に配置シグナリングを送信し、該配置シグナリングに周期的アップリンク情報／信号の配置パラメータが含まれる。それに対応して、端末１４０は受信された配置シグナリングにおける配置パラメータに基づいてターゲット伝送ユニットを確定し、そしてターゲット伝送ユニット内のアップリンクシンボルの数に基づき、ターゲット周期的アップリンク情報／信号を送信又は破棄する。
【００８２】
説明すべきものとして、図２に示す移動通信システムは、複数のアクセスネットワーク装置１２０及び／又は複数の端末１４０を備えることができ、図２に一つのアクセスネットワーク装置１２０と一つの端末１４０を示すことを例として説明するが、本実施例はこれに限定されない。
【００８３】
図３Ａを参照し、それが本発明の一つの例示的な実施例による端末の構造図を示す。該端末装置は図２に示す移動通信システムにおける端末１４０であってもよい。本実施例は、端末１４０がＬＴＥシステム又は５ＧシステムにおけるＵＥであることを例として説明し、該端末がプロセッサ２１、受信機２２、送信機２３、メモリ２４とバス２５を備える。
【００８４】
プロセッサ２１は、一つ又は一つ以上の処理コアを含み、プロセッサ２１はソフトウェアプログラム及びモジュールを実行することにより、各種の機能アプリケーション及び情報処理を実行する。
【００８５】
受信機２２と送信機２３は、一つの通信コンポーネントとして実現されてもよく、該通信コンポーネントが一つの通信チップであってもよく、通信チップが情報を変調及び／又は復調し、無線信号によって該情報を受信又は送信するために、受信モジュール、送信モジュールとモデムモジュールなどを含むことができる。
【００８６】
メモリ２４はバス２５を介してプロセッサ２１に接続される。
【００８７】
メモリ２４はソフトウェアプログラム及びモジュールを記憶することに用いられてもよい。
【００８８】
メモリ２４は少なくとも一つの機能によって記述されたるプリケーションプログラムモジュール２６を記憶することができる。アプリケーションプログラムモジュール２６は受信モジュール２６１、確定モジュール２６２と送信モジュール２６３を含むことができる。
【００８９】
プロセッサ２１は受信モジュール２６１を実行して上記各方法の実施例における受信ステップに関連する機能を実施することに用いられ、プロセッサ２１は確定モジュール２６２を実行して上記各方法の実施例における確定ステップに関連する機能を実施することに用いられ、プロセッサ２１は送信モジュール２６３を実行して上記各方法の実施例における送信ステップに関連する機能を実施することに用いられる。
【００９０】
メモリ２４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【００９１】
図３Ｂを参照し、それが本発明の一つの例示的な実施例によるアクセスネットワーク装置の構造図を示す。該アクセスネットワーク装置は図２に示す移動通信システムにおけるアクセスネットワーク装置１２０であってもよい。本実施例は、アクセスネットワーク装置１２０がＬＴＥシステムにおけるｅＮＢ、又は５ＧシステムにおけるｇＮＢであることを例として説明し、該アクセスネットワーク装置がプロセッサ３１、受信機３２、送信機３３、メモリ３４とバス３５を備える。
【００９２】
プロセッサ３１は、一つ又は一つ以上の処理コアを含み、プロセッサ３１はソフトウェアプログラム及びモジュールを実行することにより、各種の機能アプリケーション及び情報処理を実行する。
【００９３】
受信機３２と送信機３３は、一つの通信コンポーネントとして実現されてもよく、該通信コンポーネントが一つの通信チップであってもよく、通信チップが情報を変調及び／又は復調し、無線信号によって該情報を受信又は送信するために、受信モジュール、送信モジュールとモデムモジュールなどを含むことができる。
【００９４】
メモリ３４はバス３５を介してプロセッサ３１に接続される。
【００９５】
メモリ３４はソフトウェアプログラム及びモジュールを記憶することに用いられてもよい。
【００９６】
メモリ３４は少なくとも一つの機能によって記述されたるプリケーションプログラムモジュール３６を記憶することができる。アプリケーションプログラムモジュール３６は送信モジュール３６１、確定モジュール３６２と受信モジュール３６３を含むことができる。
【００９７】
プロセッサ３１は送信モジュール３６１を実行して上記各方法の実施例における送信ステップに関連する機能を実施することに用いられ、プロセッサ３１は確定モジュール３６２を実行して上記各方法の実施例における確定ステップに関連する機能を実施することに用いられ、プロセッサ３１は受信モジュール３６３を実行して上記各方法の実施例における受信ステップに関連する機能を実施することに用いられる。
【００９８】
メモリ３４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【００９９】
図４を参照し、それは本発明の一つの例示的な実施例による周期的アップリンク情報／信号伝送方法のフローチャートである。該方法は図２に示す移動通信システムに用いられる。該方法は以下のいくつかのステップを含む。
【０１００】
ステップ４０１において、アクセスネットワーク装置は周期的アップリンク情報／信号の配置パラメータを確定する。
【０１０１】
周期的アップリンク情報／信号が周期的ＣＳＩであることを例とし、アクセスネットワーク装置は、周期的アップリンク情報／信号の配置パラメータが送信周期、オフセット、ＣＳＩフィードバックモード、伝送モードと物理リソースインジケータのうちの少なくとも一つを含むことを確定する。
【０１０２】
選択可能に、配置パラメータは表２に示す各パラメータのうちの少なくとも一つを含み、且つ表２に示す各パラメータに限定されない。理解すべきものとして、表２における各パラメータが対応する番号と記述情報を有するが、番号と記述情報が対応するパラメータの一部ではなく、番号と記述情報が記述を容易にするために追加される。
【表２】
2020518156.tif 000024
2020518156.tif 000025
【表３】
2020518156.tif 000026
【表４】
2020518156.tif 000027
2020518156.tif 000028
2020518156.tif 000029
2020518156.tif 000030
【０１０３】
選択可能に、アクセスネットワーク装置は確定された周期的アップリンク情報／信号の配置パラメータに基づき、配置シグナリングを生成する。
【０１０４】
ステップ４０２において、アクセスネットワーク装置は端末へ配置シグナリングを送信し、該配置シグナリングに周期的アップリンク情報／信号の配置パラメータが含まれる。
【０１０５】
選択可能に、アクセスネットワーク装置は確定された配置シグナリングを上位層シグナリングを介して端末に送信し、又は確定された配置シグナリングを物理ダウンリンク制御チャネル（ＰＤＣＣＨ）を介して端末に送信する。ここで、アクセスネットワーク装置が上位層シグナリングを介して送信する配置シグナリングはセルレベルの配置シグナリング（Ｃｅｌｌ  ｓｐｅｃｉｆｉｃ）又は端末レベルの配置シグナリング（端末  ｓｐｅｃｉｆｉｃ）であり、アクセスネットワーク装置に用いられる上位層シグナリングはレイヤ３（Ｌ３）及びレイヤ２（Ｌ２）シグナリング、例えば無線リソース制御（ＲＲＣ）シグナリングであってもよい。
【０１０６】
ステップ４０３において、端末はアクセスネットワーク装置から送信された配置シグナリングを受信する。
【０１０７】
それに対応して、端末はアクセスネットワーク装置から送信された配置シグナリングを受信し、そして該配置シグナリングにおける周期的アップリンク情報／信号の配置パラメータを取得する。
【０１０８】
ステップ４０４において、端末は配置パラメータに基づいてターゲット伝送ユニットを確定する。
【０１０９】
選択可能に、端末は送信周期とオフセットに基づいてターゲット伝送ユニットを確定し、又は端末は送信周期、オフセットと物理リソースインジケータに基づいてターゲット伝送ユニットを確定する。
【０１１０】
一つの例示的な例では、端末が受信された配置シグナリングに基づき、配置シグナリングにおける送信周期「２ｍｓ」とオフセット「３」を取得する場合、端末は今回の伝送されるターゲット伝送ユニットを一つの無線フレームにおける「３」番目のサブフレームとして確定する。
【０１１１】
ステップ４０５において、アクセスネットワーク装置は配置パラメータに基づいてターゲット伝送ユニットを確定する。
【０１１２】
選択可能に、アクセスネットワーク装置はステップ４０１で周期的アップリンク情報／信号の配置パラメータを確定した後、配置パラメータに基づいてターゲット伝送ユニットを確定する。関連する確定ステップについてステップ４０４を参照することができる。
【０１１３】
選択可能に、ステップ４０４はステップ４０２又はステップ４０３又はステップ４０４と並列に実行されてもよく、本実施例において限定されない。
【０１１４】
ステップ４０６において、端末はターゲット伝送ユニット内のアップリンクシンボルの数に基づき、ターゲット周期的アップリンク情報／信号を送信又は破棄する。
【０１１５】
選択可能に、端末はターゲット伝送ユニット内のアップリンクシンボルの数に基づき、ターゲット伝送ユニットが送信する必要があるか否かを確定し、必要がない場合、ターゲット周期的アップリンク情報／信号を破棄し、必要がある場合、該ターゲット伝送ユニットに対応する伝送方式を確定し、そして該伝送方式に従ってアクセスネットワーク装置へターゲット周期的アップリンク情報／信号を送信する。
【０１１６】
概略的に、ターゲット伝送ユニットに含まれるアップリンクシンボルの数の範囲が０〜７である。
【０１１７】
選択可能に、ターゲット周期的アップリンク情報／信号は周期的ＣＳＩを含み、端末が送信周期に従ってＰＵＣＣＨで周期的ＣＳＩを送信する場合、用いられるＰＵＣＣＨのチャネルフォーマットはＰＵＣＣＨ  ｆｏｒｍａｔ２、ＰＵＣＣＨ  ｆｏｒｍａｔ２ａとＰＵＣＣＨ  ｆｏｒｍａｔ２ｂのうちのいずれか一つである。
【０１１８】
例示的な一例において、端末によって受信された配置パラメータが送信周期「５ｍｓ」、オフセット「３」、物理リソースインジケータ「インデックスＡ」、ＣＳＩフィードバックモード「Ｔｙｐｅ１０」、伝送モード「Ｍｏｄｅ４」である場合、端末は送信周期「５ｍｓ」、オフセット「３」、物理リソースインジケータ「インデックスＡ」に基づいてターゲット伝送ユニットＢを確定し、そしてターゲット伝送ユニットＢにおけるアップリンクシンボルの数に基づき、ターゲット周期的アップリンク情報／信号を送信する必要があることを確定し、そのため端末は５ｍｓごとに閉ループ空間多重化モードに従ってＣＲＩ情報をアクセスネットワーク装置に送信する。
【０１１９】
ステップ４０７において、アクセスネットワーク装置はターゲット伝送ユニット内のアップリンクシンボルの数に基づき、ターゲット周期的アップリンク情報／信号を受信し、又は受信しない。
【０１２０】
それに対応して、アクセスネットワーク装置はターゲット伝送ユニット内のアップリンクシンボルの数に基づき、ターゲット周期的アップリンク情報／信号を受信するか否かを確定する。
【０１２１】
上述したように、本発明の実施例では、端末はアクセスネットワーク装置から送信された配置シグナリングを受信し、該配置シグナリングに含まれる配置パラメータに基づいてターゲット伝送ユニットを確定し、そしてターゲット伝送ユニット内のアップリンクシンボルの数に基づき、ターゲット周期的アップリンク情報／信号を送信又は破棄し、これにより、ターゲット周期的アップリンク情報／信号を伝送するための伝送ユニットが動的に変化するフレーム構造を有する場合、端末はターゲット伝送ユニット内のアップリンクシンボルの数に基づき、ターゲット周期的アップリンク情報／信号を送信又は破棄するか否かを確定することができ、ターゲット周期的アップリンク情報／信号を送信する必要があることを確定した場合、該ターゲット周期的アップリンク情報／信号の伝送方式を選択し、該伝送方式に従って該ターゲット周期的アップリンク情報／信号を送信し、それによって端末が周期的アップリンク情報／信号をフィードバックする有効な確率が向上する。
【０１２２】
ステップ４０５に対して、本明細書でいくつかの可能な周期的アップリンク情報／信号伝送方法が提供され、具体的に以下の通りである。
【０１２３】
第一の周期的アップリンク情報／信号伝送方法において、
ターゲット伝送ユニットが通常のアップリンクサブフレーム又は通常のアップリンクタイムスロットである場合、端末は配置パラメータに基づいてターゲット伝送ユニットでターゲット周期的アップリンク情報／信号を送信し、それに対応して、アクセスネットワーク装置は端末から送信されたターゲット周期的アップリンク情報／信号を受信する。
【０１２４】
選択可能に、通常のアップリンクサブフレームにダウンリンクシンボルが含まれず、即ち通常のアップリンクサブフレームにおけるシンボルのタイプがいずれもアップリンクシンボルであり、通常のアップリンクタイムスロットにダウンリンクシンボルが含まれず、即ち通常のアップリンクタイムスロットにおけるシンボルのタイプがいずれアップリンクシンボルである。本実施例では通常のアップリンクサブフレーム又は通常のアップリンクタイムスロットに含まれるアップリンクシンボルの数が限定されない。
【０１２５】
以下にターゲット伝送ユニットが一つのタイムスロット（通常のアップリンクタイムスロットが７つのアップリンクシンボルを含む）であることのみを例として説明する。
【０１２６】
一つの例示的な例では、図５に示すように、ターゲット伝送ユニットが７つのシンボル（「０」番目〜「６番目」）を含み、この７つのシンボルがいずれもアップリンクシンボル５２であり、即ち該ターゲット伝送ユニットが通常のアップリンクタイムスロットである場合、端末は配置パラメータに基づいて該ターゲット伝送ユニットの７つのアップリンクシンボル５２でターゲット周期的アップリンク情報／信号を送信する。
【０１２７】
第二の周期的アップリンク情報／信号伝送方法において、
ターゲット伝送ユニット内のアップリンクシンボルの数が第一の閾値以上である場合、配置パラメータに基づいてターゲット伝送ユニットでターゲット周期的アップリンク情報／信号を送信し、それに対応して、アクセスネットワーク装置は端末から送信されたターゲット周期的アップリンク情報／信号を受信する。
【０１２８】
選択可能に、第一の閾値が７より小さい正整数であり、概略的に、第一の閾値の値が５である。
【０１２９】
一つの例示的な例では、図６に示すように、ターゲット伝送ユニットが２つのダウンリンクシンボル５２と５つのアップリンクシンボル５４を含み、端末が該ターゲット伝送ユニット内のアップリンクシンボルの数「５」が第一の閾値「５」に等しいことを判定した場合、端末は、配信パラメータに基づいてターゲット伝送ユニットの５つのアップリンクシンボル５４でターゲット周期的アップリンク情報／信号を送信する。
【０１３０】
第三の周期的アップリンク情報／信号伝送方法において、
ターゲット伝送ユニットにアップリンクシンボルが含まれない場合、ターゲット周期的アップリンク情報／信号を破棄し、それに対応して、アクセスネットワーク装置は該ターゲット周期的アップリンク情報／信号を受信しない。
【０１３１】
選択可能に、ターゲット周期的アップリンク情報／信号を破棄することは、端末がアクセスネットワーク装置へターゲット周期的アップリンク情報／信号を送信しないことを指す。選択可能に、端末はさらにターゲット周期的アップリンク情報／信号をキャッシュからクリアする。
【０１３２】
第四の周期的アップリンク情報／信号伝送方法において、
ターゲット伝送ユニット内のアップリンクシンボルの数がゼロより大きく且つ第二の閾値より小さい場合、ターゲット周期的アップリンク情報／信号を破棄し、それに対応して、アクセスネットワーク装置は該ターゲット周期的アップリンク情報／信号を受信しない。
【０１３３】
選択可能に、第二の閾値が５より小さい正整数であり、概略的に、第二の閾値の値が４である。
【０１３４】
例えば、ターゲット伝送ユニットに３つのアップリンクシンボルが含まれる場合、端末は該ターゲット伝送ユニット内のアップリンクシンボルの数「３」がゼロより大きく且つ第二の閾値「４」未満であることを判定し、そのため端末はターゲット周期的アップリンク情報／信号を破棄する。
【０１３５】
第五の周期的アップリンク情報／信号伝送方法において、
ターゲット伝送ユニットにアップリンクシンボルが含まれない場合、ターゲット伝送ユニットからの予め設定された期間内又はターゲット伝送ユニットの後の予め設定された期間内の１番目の第一のタイプの伝送ユニットを確定し、端末が配置パラメータに基づいて１番目の第一のタイプの伝送ユニットのアップリンクシンボルでターゲット周期的アップリンク情報／信号を送信し、それに対応して、アクセスネットワーク装置は端末から送信されたターゲット周期的アップリンク情報／信号を受信する。
【０１３６】
選択可能に、伝送ユニットは第一のタイプの伝送ユニットと第二のタイプの伝送ユニットという２つのタイプを含む。ここで、第一のタイプの伝送ユニットは、通常のアップリンクサブフレーム、通常のアップリンクタイムスロット、アップリンクシンボルの数が第四の閾値より大きい伝送ユニット、アップリンクシンボルの数が第四の閾値に等しい伝送ユニットのうちのいずれか一つを含む。第二のタイプの伝送ユニットは第一のタイプの伝送ユニットに属しない伝送ユニットを含み、概略的に、第四の閾値は３より大きい正整数である。
【０１３７】
選択可能に、予め設定された期間はアクセスネットワーク装置によって予め設定され又はプロトコルによって予め設定され、概略的に、予め設定された期間は３ｍｓである。
【０１３８】
一つの例示的な例では、予め設定された期間は３ｍｓであり、図７に示すように、ターゲット伝送ユニットＡからの３ｍｓ内の伝送ユニットは順次ターゲット伝送ユニットＡ、伝送ユニットＢ、伝送ユニットＣ、伝送ユニットＤ、伝送ユニットＥと伝送ユニットＦである。ここで、ターゲット伝送ユニットＡと伝送ユニットＤにアップリンクシンボルが含まれず、伝送ユニットＢは通常のアップリンクタイムスロット（７つのアップリンクシンボルを含む）であり、伝送ユニットＣはアップリンクシンボルの数が第四の閾値「４」に等しい伝送ユニットであり、伝送ユニットＥと伝送ユニットＦはいずれもアップリンクシンボルの数が第四の閾値「４」より小さい伝送ユニットであり、伝送ユニットＢと伝送Ｃは第一のタイプの伝送ユニット７２に属し、ターゲット伝送ユニットＡ、伝送ユニットＤ、伝送ユニットＥと伝送ユニットＦは第二のタイプの伝送ユニット７４に属する。端末は、ターゲット伝送ユニットＡがアップリンクシンボルを含めないことを判定した場合、ターゲット伝送ユニットＡからの３ｍｓ内の１番目の第一のタイプの伝送ユニットが伝送ユニットＢであることを確定する。端末は配置パラメータに基づいて伝送ユニットＢの７つのアップリンクシンボルでターゲット周期的アップリンク情報／信号を送信する。
【０１３９】
第六の周期的アップリンク情報／信号伝送方法において、
ターゲット伝送ユニット内のアップリンクシンボルの数がゼロより大きく且つ第三の閾値未満である場合、ターゲット伝送ユニットからの予め設定された期間内又はターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信する。
【０１４０】
例えば、第三の閾値の値が４であり、ターゲット伝送ユニットに３つのアップリンクシンボルが含まれ、端末が該ターゲット伝送ユニット内のアップリンクシンボルの数「３」がゼロより大きく且つ第三の閾値「４」未満であることを判定した場合、端末は、ターゲット伝送ユニットからの予め設定された期間内又はターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信する。
【０１４１】
説明すべきものとして、端末がどのように１番目の第一のタイプの伝送ユニットを確定するか及びどのようにターゲット周期的アップリンク情報／信号を送信するかの関連詳細について第五のターゲット周期的アップリンク情報／信号伝送方法の関連説明を参照することができ、ここで説明を省略する。
【０１４２】
第七の周期的アップリンク情報／信号伝送方法において、
ターゲット伝送ユニット内のアップリンクシンボルの数がゼロより大きく且つ第五の閾値未満である場合、配置パラメータに基づいてターゲット伝送ユニットのアップリンクシンボルでターゲット周期的アップリンク情報／信号内の情報サブセットを送信する。
【０１４３】
選択可能に、周期的アップリンク情報／信号が周期的ＣＳＩを含む場合、情報サブセットは、ＣＲＩ情報、ＲＩ情報、ブロードバンドＣＱＩ情報、ブロードバンドＰＭＩ情報と第一のＰＭＩ情報のうちの少なくとも一つのサブ情報を含む。
【０１４４】
選択可能に、情報サブセットはさらにサブバンドＣＱＩ情報、第二のＰＭＩ情報とＰＴＩ情報のうちの少なくとも一つを含む。本実施例では情報サブセットにおけるサブ情報の種類が限定されない。
【０１４５】
例えば、第五の閾値の値が３であり、ターゲット伝送ユニットに２つのアップリンクシンボルが含まれ、端末が該ターゲット伝送ユニット内のアップリンクシンボルの数「２」がゼロより大きく且つ第五の閾値「３」未満であることを判定した場合、端末は、配置パラメータに基づいて伝送ユニットのアップリンクシンボルでターゲット周期的アップリンク情報／信号内のＣＲＩ情報を送信する。
【０１４６】
第八の周期的アップリンク情報／信号伝送方法において、
１、端末は配置パラメータ及びターゲット伝送ユニット内のアップリンクシンボルの数に基づき、ターゲット周期的アップリンク情報／信号を送信するための時間周波数リソースを確定する。
【０１４７】
ターゲット伝送ユニット内のアップリンクシンボルの数が動的に変化するため、ターゲット伝送ユニット内のアップリンクシンボルの数が予め設定された閾値より小さく又は大きい場合、端末はターゲット周期的アップリンク情報／信号を送信するための時間周波数リソースを調整することができ、これにより端末は配置パラメータに基づいて該時間周波数リソースでターゲット周期的アップリンク情報／信号を送信し、それによってターゲット周期的アップリンク情報／信号を送信するための時間周波数リソースが小さすぎるため、送信できないという状況を回避する。
【０１４８】
選択可能に、ターゲット周期的アップリンク情報／信号を送信するための通常の時間周波数リソースは一般的にＡ×Ｂ個のリソースエレメント（ＲＥ：Ｒｅｓｏｕｒｃｅ  Ｅｌｅｍｅｎｔ）を含み、ターゲット伝送ユニット（Ｃ×Ｄ個のＲＥを含む）におけるアップリンクシンボルの数Ｃが予め設定された閾値より小さく又は大きい場合、端末は周波数領域において占有されたサブ搬送波の数Ｄを調整し、これにより、ターゲット周期的アップリンク情報／信号を送信するための時間周波数リソースに含まれるＲＥの数と通常の時間周波数リソースに含まれるＲＥの数との絶対差値が差閾値より小さい。
【０１４９】
一つの可能な実施形態では、端末はアップリンクシンボルの数と時間周波数リソースの数とのマッピング関係を予め記憶する。選択可能に、該マッピング関係は通信プロトコルによって予め定義され、該マッピング関係は表５に示すマッピング関係である。ここで、時間周波数リソースの数はＡ×Ｂであり、該時間周波数リソースがＡ×Ｂ個のＲＥを含み、即ち該時間周波数リソースが時間領域においてＡ個のシンボルを含み、且つ周波数領域においてＢ個のサブ搬送波を含むことを示すことに用いられる。
【表５】
2020518156.tif 000031
【０１５０】
例えば、配置パラメータは送信周期「５ｍｓ」、オフセット「３」と物理リソースインジケータ「インデックスＡ」を含み、ターゲット伝送ユニットＢにおけるアップリンクシンボルの数が６であり、サブ搬送波の数が１２であり、合計６×１２個のＲＥがある。上記表５に基づき、端末はターゲット伝送ユニットＢにおけるアップリンクシンボルの数「６」に基づき、ターゲット周期的アップリンク情報／信号を送信するための時間周波数リソースの数が６×１４であることを確定する。即ち、端末はターゲット周期的アップリンク情報／信号を送信するための時間周波数リソースを６×１４個のＲＥに調整する。
【０１５１】
説明すべきものとして、表５に示すマッピング関係が例示的だけであり、端末はアップリンクシンボルの数とサブ搬送波の数とのマッピング関係を予め記憶することもできる。本実施例では、アップリンクシンボルの数と時間周波数リソースの数又はサブ搬送波の数とのマッピング関係及びマッピング関係の設定方式が限定されない。
【０１５２】
別の可能な実施形態では、端末は配置パラメータ及びターゲット伝送ユニット内のアップリンクシンボルの数に基づき、予め設定された式でターゲット周期的アップリンク情報／信号のための時間周波数リソースを計算して取得する。
【０１５３】
例えば、配置パラメータは送信周期「５ｍｓ」、オフセット「３」と物理リソースインジケータ「インデックスＡ」を含み、ターゲット伝送ユニットＢにおけるアップリンクシンボルの数が６であり、サブ搬送波の数が１２である。端末はターゲット伝送ユニットＢにおけるアップリンクシンボルの数「６」に基づき、予め設定された式で時間周波数リソースの数（対応するサブ搬送波の数が１４である）を８４として計算して取得し、即ち端末はターゲット周期的アップリンク情報／信号を送信するための時間周波数リソースＳを確定し、該時間周波数リソースＳにおけるアップリンクシンボルの数が６であり、サブ搬送波の数が１４であることを確定する。２、端末は配置パラメータに基づいて時間周波数リソースでターゲット周期的アップリンク情報／信号を送信する。
【０１５４】
例えば、端末は、５ｍｓごとに、時間周波数リソースの数が６×１４である時間周波数リソースでターゲット周期的アップリンク情報／信号を送信する。
【０１５５】
第九の周期的アップリンク情報／信号伝送方法において、
１、端末は、配置情報及び１番目の第一のタイプの伝送ユニット内のアップリンクシンボルの数に基づき、ターゲット周期的アップリンク情報／信号を送信するための時間周波数リソースを確定する。
【０１５６】
２、端末は配置パラメータに基づいて時間周波数リソースでターゲット周期的アップリンク情報／信号を送信する。
【０１５７】
理解すべきものとして、第九の伝送方法と第八の伝送方法の違いは、第８の伝送方法におけるアップリンクシンボルが「ターゲット伝送ユニット」のものであり、第９の伝送方法におけるアップリンクシンボルが「第一のタイプの伝送ユニット」のものであることにあり、関連詳細については、第八の伝送方法の関連説明を参照でき、ここで説明を省略する。
【０１５８】
理解すべきものとして、ステップ４０６に対して、アクセスネットワーク装置側は同様に上記の９つの周期的アップリンク情報／信号伝送方法に対応する９つの実施例に適用し、関連詳細については上記の９つの実施例における関連説明を参照することができ、ここで説明を省略する。
【０１５９】
説明すべきものとして、上記の各実施例に係る閾値（第一の閾値、第二の閾値、第三の閾値、第四の閾値と第五の閾値のうちのいずれか一つ）はアクセスネットワーク装置によって予め設定され又は通信プロトコルによって予め定義され、本実施例では各閾値の確定方式及び値が限定されない。
【０１６０】
また、説明すべきもとして、上記の９つの実施例についてはいずれかの２つの実施例が組合わせられて実施されてもよく、いずれか３つの実施例が組合わせられて実施されてもよく、又はｎ（ｎが正整数である）つの実施例が組合わせられてもよく、これは、上記の実施例に基づいて当業者によって容易に理解され、本発明の実施例では、これらの実施例が組合わせられて実施される方式が詳細に説明されない。以下に、一つの具体的な例示的例のみを例とし、上記の５番目の実施例と９番目の実施例が組合わせられて実施される方式を具体的に説明する。
【０１６１】
図８に示すように、端末は、ターゲット伝送ユニットＡにアップリンクシンボルが含まれないことを判定した場合、ターゲット伝送ユニットＡからの３ｍｓ内に、第一のタイプの伝送ユニットに属する伝送ユニットが存在するか否かを順次判定する。ターゲット伝送ユニットＡにアップリンクシンボルが含まれないため、端末はターゲット伝送ユニットＡが第一のタイプの伝送ユニットに属しないことを判定し、伝送ユニットＢが１つのダウンリンクシンボルと６つのアップリンクシンボルを含むため、端末は伝送ユニットＢにおけるアップリンクシンボルの数が第四の閾値「６」に等しいことに基づき、伝送ユニットＢが１番目の第一のタイプの伝送ユニットであることを確定する。端末は配置情報（送信周期「５ｍｓ」、オフセット「３」と物理リソースインジケータ「インデックスＡ」）及び伝送ユニットＢにおけるアップリンクシンボルの数「６」に基づき、予め設定された式で時間周波数リソースＳの時間周波数リソースの数を８４として計算して取得し、即ち端末はターゲット周期的アップリンク情報／信号を送信するための時間周波数リソースＳ（８４個のリソースエレメントを含む）を確定し、該時間周波数リソースＳが時間領域において６つのアップリンクシンボルを占有し、周波数領域において１４つのサブ搬送波を占有する。ここで、配置パラメータはさらに、ＣＳＩフィードバックモード「タイプ１０」、伝送モード「Ｍｏｄｅ４」を含み、したがって、端末は配置パラメータに基づき、ターゲット周期的アップリンク情報／信号を送信する必要があることを確定し、そして５ｍｓごとに閉ループ空間多重化モードに従って時間周波数リソースＳでＣＲＩ情報を送信する。
【０１６２】
上述したように、本発明の実施例では、端末はアクセスネットワーク装置から送信された配置シグナリングを受信し、該配置シグナリングに含まれる配置パラメータに基づいてターゲット伝送ユニットを確定し、そしてターゲット伝送ユニット内のアップリンクシンボルの数に基づき、ターゲット周期的アップリンク情報／信号を送信又は破棄し、これにより、ターゲット周期的アップリンク情報／信号を伝送するための伝送ユニットが動的に変化するフレーム構造を有する場合、端末はターゲット伝送ユニット内のアップリンクシンボルの数に基づき、ターゲット周期的アップリンク情報／信号を送信又は破棄するか否かを確定することができ、ターゲット周期的アップリンク情報／信号を送信する必要があることを確定した場合、該ターゲット周期的アップリンク情報／信号の伝送方式を選択し、該伝送方式に従って該ターゲット周期的アップリンク情報／信号を送信し、それによって端末が周期的アップリンク情報／信号をフィードバックする有効な確率が向上する。
【０１６３】
また、本発明の実施例では、ターゲット伝送ユニットにアップリンクシンボルが含まれなく又はアップリンクシンボルの数がゼロより大きく且つ第三の閾値より小さい場合、ターゲット伝送ユニットからの予め設定された期間内又は前記ターゲット伝送ユニットの後の予め設定された期間内の１番目の第一のタイプの伝送ユニットを確定し、配置パラメータに基づいて１番目の第一のタイプの伝送ユニットのアップリンクシンボルでターゲット周期的アップリンク情報／信号を送信し、これにより、ターゲット伝送ユニットがターゲット周期的アップリンク情報／信号を送信できない場合、端末は、確定された１番目の第一のタイプの伝送ユニットのアップリンクシンボルでターゲット周期的アップリンク情報／信号を送信することを確定することができ、ターゲット周期的アップリンク情報／信号を送信又は破棄することを回避し、それによってアクセスネットワーク装置は端末からフィードバックされたターゲット周期的アップリンク情報／信号をタイムリーに取得することができる。
【０１６４】
また、本発明の実施例では、ターゲット伝送ユニット内のアップリンクシンボルの数がゼロより大きく且つ第五の閾値未満である場合、配置パラメータに基づいてターゲット伝送ユニットのアップリンクシンボルでターゲット周期的アップリンク情報／信号内の情報サブセットを送信し、情報サブセットがＣＲＩ情報、ＲＩ情報、ＣＱＩ情報、ブロードバンドＰＭＩ情報と第一のＰＭＩ情報のうちの少なくとも一つのサブ情報を含み、これにより、端末は依然としてアクセスネットワーク装置へターゲット周期的アップリンク情報／信号に関連する一部の情報を送信することができ、ターゲット伝送ユニット内のアップリンクシンボルの数が少なすぎるため、ターゲット周期的アップリンク情報／信号が破棄され、リソースが無駄になるという状況を回避する。
【０１６５】
以下は本発明の実施例における装置の実施例であり、装置の実施例における詳細に説明されない部分については、上記方法の実施例で開示された技術的詳細を参照することができる。
【０１６６】
図９は本発明の一つの実施例による周期的アップリンク情報／信号伝送装置の構造図である。該周期的アップリンク情報／信号伝送装置はソフトウェア、ハードウェア及び両者の組み合わせにより、端末の全部又は一部として実現されてもよい。該周期的アップリンク情報／信号伝送装置は受信ユニット９１０、確定ユニット９２０と送信ユニット９３０を備える。
【０１６７】
受信ユニット９１０は、上記ステップ４０３及び他の明示又は暗示する少なくとも一つの受信ステップの機能を実行するように構成される。
【０１６８】
確定ユニット９２０は、上記ステップ４０４及び他の明示又は暗示する少なくとも一つの確定ステップの機能を実行するように構成される。
【０１６９】
送信ユニット９３０は、上記ステップ４０６及び他の明示又は暗示する少なくとも一つの送信ステップの機能を実行するように構成される。
【０１７０】
図１０を参照し、図１０が本発明の一つの実施例による周期的アップリンク情報／信号伝送装置の構造図である。該周期的アップリンク情報／信号伝送装置はソフトウェア、ハードウェア及び両者の組み合わせにより、アクセスネットワーク装置の全部又は一部として実現されてもよい。該周期的アップリンク情報／信号伝送装置は送信ユニット１０１０、確定ユニット１０２０と受信ユニット１０３０を備える。
【０１７１】
送信ユニット１０１０は、上記ステップ４０２及び他の明示又は暗示する少なくとも一つの送信ステップの機能を実行するように構成される。
【０１７２】
確定ユニット１０２０は、上記ステップ４０５及び他の明示又は暗示する少なくとも一つの確定ステップの機能を実行するように構成される。
【０１７３】
受信ユニット１０３０は、上記ステップ４０７及び他の明示又は暗示する少なくとも一つの受信ステップの機能を実行するように構成される。
【０１７４】
本発明の実施例はさらに端末とアクセスネットワーク装置を備えることができるアップリンクデータシステムを提供する。
【０１７５】
ここで、端末は上記図９で提供される周期的アップリンク情報／信号伝送装置を含むことができ、アクセスネットワーク装置は上記図１０で提供される周期的アップリンク情報／信号伝送装置を含むことができる。
【０１７６】
又は、端末は上記図３Ａで提供される端末であってもよく、アクセスネットワーク装置は上記図３Ｂで提供されるアクセスネットワーク装置であってもよい。
【０１７７】
当業者は、上述した一つ又は複数の例において、本発明の実施例で説明された機能がハードウェア、ソフトウェア、ファームウェア又はそれらの任意の組み合わせで実施されてもよいことを理解することができる。ソフトウェアで実施される場合、これらの機能がコンピュータ可読媒体に記憶されてもよく、又はコンピュータ可読媒体における一つ又は複数の命令又はコードとして伝送されてもよい。コンピュータ可読媒体はコンピュータ記憶媒体と通信媒体を含み、ここで通信媒体が一つの箇所から別の個所へのコンピュータプログラムの伝送を容易にする任意の媒体を含む。記憶媒体は汎用又は専用コンピュータにアクセスされることができる任意の利用可能な媒体であってもよい。
【０１７８】
上記は本発明の好ましい実施例に過ぎず、本発明を限定するためのものではなく、本発明の精神及び原則から逸脱することなく行われるあらゆる変更、同等置き換え、改良などは、いずれも本発明の保護範囲内に含まれるべきである。
【手続補正２】
【補正対象書類名】特許請求の範囲
【補正対象項目名】全文
【補正方法】変更
【補正の内容】
【特許請求の範囲】
【請求項１】
周期的アップリンク情報／信号伝送方法であって、
アクセスネットワーク装置から送信された配置シグナリングを受信し、前記配置シグナリングに周期的アップリンク情報／信号の配置パラメータが含まれることと、
前記配置パラメータに基づいてターゲット伝送ユニットを確定することと、
前記ターゲット伝送ユニット内のアップリンクシンボルの数に基づき、ターゲット周期的アップリンク情報／信号を送信又は破棄することとを含む、前記周期的アップリンク情報／信号伝送方法。
【請求項２】
前記配置パラメータは、送信周期、オフセット、ＣＳＩフィードバックモード、伝送モードと物理リソースインジケータのうちの少なくとも一つを含むことを特徴とする
請求項１に記載の方法。
【請求項３】
前記ターゲット伝送ユニットが、サブフレーム又はタイムスロットである、
請求項１又は２に記載の方法。
【請求項４】
前記ターゲット伝送ユニット内のアップリンクシンボルの数に基づき、ターゲット周期的アップリンク情報／信号を送信又は破棄することは、
前記ターゲット伝送ユニットにアップリンクシンボルが含まれない場合、前記ターゲット周期的アップリンク情報／信号を破棄すること、又は、
前記ターゲット伝送ユニット内のアップリンクシンボルの数がゼロより大きく且つ第二の閾値未満である場合、前記ターゲット周期的アップリンク情報／信号を破棄することを含むことを特徴とする
請求項１−３のいずれか一項に記載の方法。
【請求項５】
前記ターゲット伝送ユニット内のアップリンクシンボルの数に基づき、ターゲット周期的アップリンク情報／信号を送信又は破棄することは、
前記ターゲット伝送ユニット内のアップリンクシンボルの数が第二の閾値未満である場合、前記ターゲット周期的アップリンク情報／信号を破棄することを含むことを特徴とする、
請求項１−４のいずれか一項に記載の方法。
【請求項６】
前記ターゲット周期的アップリンク情報／信号を破棄することは、
アクセスネットワーク装置に前記ターゲット周期的アップリンク情報／信号を送信しないこと、を含む、
請求項１−５のいずれか一項に記載の方法。
【請求項７】
周期的アップリンク情報／信号伝送装置であって、
アクセスネットワーク装置から送信された配置シグナリングを受信するように構成され、前記配置シグナリングに周期的アップリンク情報／信号の配置パラメータが含まれる受信ユニットと、
前記配置パラメータに基づいてターゲット伝送ユニットを確定するように構成される確定ユニットと、
前記ターゲット伝送ユニット内のアップリンクシンボルの数に基づき、ターゲット周期的アップリンク情報／信号を送信又は破棄するように構成される送信ユニットとを備える、前記周期的アップリンク情報／信号伝送装置。
【請求項８】
前記配置パラメータは、送信周期、オフセット、ＣＳＩフィードバックモード、伝送モードと物理リソースインジケータのうちの少なくとも一つを含むことを特徴とする
請求項７に記載の方法。
【請求項９】
前記ターゲット伝送ユニットが、サブフレーム又はタイムスロットである、
請求項７又は８に記載の方法。
【請求項１０】
前記送信ユニットはさらに、
前記ターゲット伝送ユニットにアップリンクシンボルが含まれない場合、前記ターゲット周期的アップリンク情報／信号を破棄するように構成され、又は、
前記ターゲット伝送ユニット内のアップリンクシンボルの数がゼロより大きく且つ第二の閾値未満である場合、前記ターゲット周期的アップリンク情報／信号を破棄するように構成されることを特徴とする
請求項７−９のいずれか一項に記載の装置。
【請求項１１】
前記送信ユニットはさらに、
前記ターゲット伝送ユニット内のアップリンクシンボルの数が第二の閾値未満である場合、前記ターゲット周期的アップリンク情報／信号を破棄するように構成されることを特徴とする
請求項７−１０のいずれか一項に記載の装置。
【請求項１２】
前記送信ユニットはさらに、
アクセスネットワーク装置に前記ターゲット周期的アップリンク情報／信号を送信しないように構成されることを特徴とする
請求項７−１１のいずれか一項に記載の装置。
【請求項１３】
周期的アップリンク情報／信号伝送装置であって、
端末へ配置シグナリングを送信するように構成され、前記配置シグナリングに周期的アップリンク情報／信号の配置パラメータが含まれる送信ユニットと、
前記配置パラメータに基づいてターゲット伝送ユニットを確定するように構成される確定ユニットと、
前記ターゲット伝送ユニット内のアップリンクシンボルの数に基づき、ターゲット周期的アップリンク情報／信号を受信し、又は受信しないように構成される受信ユニットとを備える、前記周期的アップリンク情報／信号伝送装置。
【請求項１４】
前記配置パラメータは、送信周期、オフセット、ＣＳＩフィードバックモード、伝送モードと物理リソースインジケータのうちの少なくとも一つを含むことを特徴とする
請求項１３に記載の装置。
【請求項１５】
前記受信ユニットはさらに、
前記ターゲット伝送ユニットにアップリンクシンボルが含まれない場合、前記ターゲット周期的アップリンク情報／信号を受信しないように構成され、又は、
前記ターゲット伝送ユニット内のアップリンクシンボルの数がゼロより大きく且つ第二の閾値未満である場合、前記ターゲット周期的アップリンク情報／信号を受信しないように構成されることを特徴とする
請求項１３又は１４に記載の装置。
【請求項１６】
前記受信ユニットはさらに、
前記ターゲット伝送ユニット内のアップリンクシンボルの数が第二の閾値未満である場合、前記ターゲット周期的アップリンク情報／信号を受信しないように構成される、
請求項１３−１５のいずれか一項に記載の装置。
【国際調査報告】
2020518156.tif 000032
2020518156.tif 000033
2020518156.tif 000034
2020518156.tif 000035